(57)【要約】【課題】異なる種類の内容物を含む飲料用容器間において、一方の容器から他方の容器への内容物の流入を容易かつ確実に行える飲料用容器及びそのジョイント部材を提供する。【解決手段】この飲料用容器１は、開口した口部２ａを有する容器本体２と、この容器本体の前記口部に装着されるキャップ３と、このキャップと一体又は別体に設けられた、容器本体の内容物を他の容器に移すために該他の容器に連結するためのジョイント部材とを備えている。ジョイント部材は、他の容器への連通路に設けられた仕切り層５と、容器本体に充填された飲料を他の容器に移す際にこの仕切り層を開口させるための連通手段６，７とを有している。容器本体２を上下逆さにした後に、他の容器と連結し、連通手段によって仕切り層を開放することで、容器本体２の飲料を他の容器に注入することができる。【選択図】図１
2011016581.tif 000002
【特許請求の範囲】
【請求項１】
開口した口部を有する１つの容器本体を有し、この容器本体の前記口部に着脱可能に装着されるキャップと、このキャップと一体又は別体に設けられた、容器本体の内容物を他の容器に移すために該他の容器に連結するためのジョイント部材とを、前記容器本体に付設された状態で備えた飲料用容器であって、前記ジョイント部材は、他の容器への連通路に設けられた仕切り層と、前記容器本体に充填された飲料を他の容器に移す際にこの仕切り層を開口させるための連通手段とを有していることを特徴とする飲料用容器。
【請求項２】
前記ジョイント部材は、前記キャップと一体に設けられており、前記キャップは、前記容器本体の口部に着脱可能に連結する第１連結手段を一端に有すると共に、他の容器の口部に着脱可能に連結する第２連結手段を他端に有しており、前記第１連結手段と前記第２連結手段との間に前記仕切り層が設けられていて、この仕切り層に、前記連通手段が設けられていることを特徴とする請求項１に記載の飲料用容器。
【請求項３】
前記容器本体の口部に前記第１連結手段を介して前記キャップの一端が装着され、前記キャップの他端に前記第２連結手段を介して前記他の容器の口部が装着された状態で、前記連通手段により前記仕切り層を開口できるように構成されている請求項２に記載の飲料用容器。
【請求項４】
前記キャップは、前記第１連結手段を有する第１キャップと、前記第２連結手段を有する第２キャップとを有し、前記第１キャップと前記第２キャップとが、破断可能な１以上の部位での結合、環状溝と環状突部とによる嵌合、及び螺合から選ばれた少なくとも1種によって連結されている請求項２又は３記載の飲料用容器。
【請求項５】
前記連通手段は、前記部位での結合が用いられている場合は該部位を破断して、前記第１キャップと前記第２キャップとを相対回動させることにより、前記仕切り層が開口するように構成されている請求項４記載の飲料用容器。
【請求項６】
前記連通手段は、前記部位での結合が用いられている場合は該部位を破断して、前記第１キャップと前記第２キャップとを相対回動させることにより、開口するための操作部が前記キャップの外部に突出するように構成されている請求項４記載の飲料用容器。
【請求項７】
前記連通手段は、前記仕切り層の開口を前記第２連結手段側で塞ぐように剥離可能に固着されたシール材からなり、このシール材の固着されていない端部が前記キャップの外周に設けた開口から突出可能とされており、この端部を引っ張ることにより、前記シール材が剥がれて前記開口が開くように構成されている請求項３、４又は６に記載の飲料用容器。
【請求項８】
前記連通手段は、前記仕切り層に形成された破断可能な囲い線と、この囲い線で囲まれた部分の前記第２連結手段側に連結されたレバー片とからなり、このレバー片が、前記キャップの外周に設けた開口から突出可能とされており、このレバー片を引っ張ることにより、前記囲い線の部分が破断されて前記仕切り層が開口されるように構成されている請求項３、４又は６記載の飲料用容器。
【請求項９】
前記連通手段は、前記仕切り層に設けた開口部と、前記仕切り層の前記第２連結手段側に接して配置され、一端が前記開口部を開閉可能に塞ぎ、他端が前記キャップの外周に設けたスリットから突出可能とされたオール状部材と、前記オール状部材をスライド可能に保持するガイド部とからなり、前記オール状部材の他端を引っ張ることにより、前記開口部が開口するように構成されている請求項３、４又は６に記載の飲料用容器。
【請求項１０】
前記キャップは、前記第１連結手段が設けられた第１キャップと、前記第２連結手段が設けられた第２キャップとからなり、前記第１キャップと前記第２キャップとは、破断可能な１以上の部位を介して連結されると共に、該部位を破断することによって前記第２キャップの先端が前記第１キャップの内側に挿入可能に構成されており、前記第１キャップの内部には仕切り層が設けられ、
前記連通手段は、前記仕切り層に設けられた開口部と、この開口部を閉じるシール材と、前記第２キャップの先端部に設けられ、前記第２キャップの先端が前記第１キャップの内側に挿入されたとき、前記シール材を突き破って、前記第１キャップと前記第２キャップとを連通させる突起とからなる請求項３、４又は５に記載の飲料用容器。
【請求項１１】
前記キャップは、前記第１連結手段が設けられた第１キャップと、前記第２連結手段が設けられた第２キャップとからなり、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により連結されており、
前記連通手段は、前記第１キャップと前記第２キャップの一方に設けられた、開口部を有する仕切り層と、前記第１キャップと前記第２キャップの他方に設けられており、前記仕切り層に摺接して、前記仕切り層に対して回動することによって、前記開口部を閉じた状態から開口した状態にする覆い板とからなる請求項３、４又は５に記載の飲料用容器。
【請求項１２】
前記キャップは、前記第１連結手段が設けられた第１キャップと、前記第２連結手段が設けられた第２キャップとからなり、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により連結されており、
前記連通手段は、前記第１キャップに設けられた仕切り層と、前記仕切り層に形成された破断可能な囲い線と、この囲い線で囲まれた部分と前記第２キャップ内壁とを連結する連結片とからなり、
前記部位を破断して、前記第１キャップに対して前記第２キャップを回動させることにより、前記連結片が引っ張られて前記囲い線の部分が破断されて前記仕切り層が開口されるように構成されている請求項３、４又は５に記載の飲料用容器。
【請求項１３】
前記キャップは、前記第１連結手段が設けられた第１キャップと、前記第２連結手段が設けられた第２キャップとからなり、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により連結されており、
前記連通手段は、前記第１キャップに設けられた仕切り層と、前記仕切り層に形成された破断可能な囲い線と、この囲い線で囲まれた部分から突出した第１係合手段と、前記第２キャップ内壁から突出した、回動することによって前記第１係合手段と係合する第２係合手段とからなり、
前記部位を破断して、前記第１キャップに対して前記第２キャップを回動させることにより、前記第１係合手段と前記第２係合手段とが係合し、前記囲い線の部分が引っ張られて破断し、前記仕切り層が開口されるように構成されている請求項３、４又は５に記載の飲料用容器。
【請求項１４】
前記キャップは、前記第１連結手段が設けられた第１キャップと、前記第２連結手段が設けられた第２キャップとからなり、前記第１キャップに対して前記第２キャップは螺着されており、前記第１キャップは、仕切り層と、該仕切り層に形成された第１開口部とを有し、前記第２キャップは、前記第１キャップに対して締め付けたときに、前記第１開口部を塞ぐ閉塞壁と、前記第１キャップと前記第２キャップとの間の空間を、前記第２連結手段側の開口に連通させる第２開口部とを有している請求項３、４又は５に記載の飲料容器。
【請求項１５】
前記第１キャップは、前記容器本体の口部に挿入される第１筒体と、この第１筒体に形成された第１開口部とを有し、前記第２キャップは、前記第１筒体の内部に挿入される第２筒体と、この第２筒体に形成された第２開口部とを有し、前記第１キャップに対して前記第２キャップを締め付けた状態では、前記第１開口部が前記第２筒体によって閉塞され、前記第１キャップに対して前記第２キャップを緩めることにより、前記第１開口部が開口されるように構成されている請求項１４に記載の飲料用容器。
【請求項１６】
前記第１キャップは、前記容器本体の口部に挿入される第１筒体と、この第１筒体の端面に形成された第１開口部とを有し、前記第２キャップは、前記第１筒体の内部に所定の間隙を介して挿入される第２筒体と、前記第２キャップを前記第１キャップに対して締め付けることにより、前記第１筒体の第１開口部を塞ぐように前記第２筒体の先端部に形成された閉塞壁と、前記第２筒体の周壁に形成された第２開口部とを有している請求項１５記載の飲料用容器。
【請求項１７】
前記容器本体の口部は、前記他の容器の口部よりも大きな外径を有しており、前記キャップに設けられた連通手段は、前記仕切り層に形成された開口部と、この開口部の周縁から突設された筒状突起と、この筒状突起の通路を開放可能に封止する封止手段とからなり、前記筒状突起に前記第２連結手段が設けられている請求項２に記載の飲料用容器。
【請求項１８】
前記ジョイント部材は、前記キャップと別体に設けられたカップ形状の部材からなり、このカップ形状の部材の底壁が前記仕切り層をなし、前記連通手段は、前記仕切り層に形成された開口部と、この開口部の周縁から外側に突設された筒状突起と、この筒状突起の通路を開放可能に封止する封止手段とからなり、前記筒状突起に前記第２連結手段が設けられている請求項１に記載の飲料用容器。
【請求項１９】
前記カップ形状の部材の内壁若しくは外壁の少なくとも一方に、注入量の目安となる目印が形成されている請求項１７又は１８に記載の飲料用容器。
【請求項２０】
前記第１連結手段は、前記容器本体の口部に螺着される雌ネジからなる請求項１〜１９のいずれか１つに記載の飲料用容器。
【請求項２１】
前記第２連結手段は、前記他の容器の口部に螺着される雌ネジからなる請求項１〜２０のいずれか１つに記載の飲料用容器。
【請求項２２】
前記第２連結手段は、前記他の容器の口部に差し込まれる外径で形成された筒状突起からなる請求項１〜２０のいずれか１つに記載の飲料用容器。
【請求項２３】
２つの飲料用容器を連結して、一方の飲料用容器に充填された飲料を他方の飲料用容器に移すために用いられるジョイント部材であって、一方の飲料用容器の口部に連結する第１連結手段を一端に有すると共に、他方の飲料用容器の口部に連結する第２連結手段を他端に有しており、前記第１連結手段と前記第２連結手段との間に仕切り層が設けられていて、この仕切り層に、両方の飲料用容器の口部を連結した状態で、前記仕切り層を開口できるように構成された連通手段が設けられていることを特徴とする飲料用容器のジョイント部材。
【発明の詳細な説明】
【技術分野】
【０００１】
本発明は、ペットボトル等の飲料用容器であって、複数の容器間で内容物を容易かつ確実に混ぜ合わせることができるようにした飲料用容器及びそのジョイント部材に関する。
【背景技術】
【０００２】
今日は、日本茶、ウーロン茶、清涼飲料といったノンアルコール飲料を５００ｍｌ程度のペットボトルを水筒代わりに携帯し、喉が渇いたら適宜開栓して飲むことが一般化している。その際、ペットボトルの内容物をコップに移して飲むのではなく、開栓したペットボトルの口金部に直接口をつけて飲む。
【０００３】
焼酎、ウィスキー、日本酒、ウォッカ、ジンといったアルコール飲料は、１Lを超える分量の場合、ペットボトル、ガラス瓶、紙パックといった各種容器に入れて販売され、飲むに際してはこれらの容器から別のコップに移し変えて飲むことが一般的である。一方、１人飲みを想定した２００ｍｌ程度の分量の場合は、ペットボトルや紙容器入れた商品で販売され、これらの商品は、通常、個々の容器の口金部に直接口をつけて飲む。
【０００４】
ところで、焼酎、ウォッカ、ジン、ウィスキーといったアルコールの場合、それ単独で飲む場合と、他の飲料と割って飲む場合がある。たとえば、焼酎を例にとるならば、水（湯）、日本茶、ウーロン茶、コーラ、レモン・梅・ライム・オレンジ等のジュース類といった具合に、飲む者の好みにより多くのバリエーションが存在する。そして、消費者の好みに対応すべく、アルコール飲料各社は、焼酎を他の飲み物で割った商品ラインアップを、多くの場合、缶入り容器にて取り揃えている。
【０００５】
上記の如く、一人用分量のペットボトル、缶入り飲料の場合、ノンアルコールもアルコールも直接容器から飲むことが想定されているため、これらを混ぜて飲む場合、別のコップに移し変えて飲まざるを得ない。また、無理やり容器間で移し変えて混ぜ合わせようとした場合、口金部分は非常に細かったり狭かったりするため、流し込む際にこぼれてしまうといった問題点があった。
【０００６】
また、アルコール割り商品の購入を希望する消費者は、メーカーが市場に出している既存のラインアップ商品の中から選ぶことになるが、消費者にしてみれば、ラインアップ商品以外でも割りたい飲料商品が存在することもあれば、またアルコール濃度についても好みが異なるといった事情が存在する。
【０００７】
一方、メーカー側にとっては、割る商品の種類やアルコール濃度についての消費者の好みに極力応じるためには、商品ラインアップを拡大させる必要があるが、それは、製造、卸し、販売といった各工程での管理コストのアップに繋がる。そのため、メーカーにしてみれば、１人飲み分量のアルコール商品と１人飲み分量のノンアルコール商品とを、混ぜ合わせがし易い態様で販売し、何で割るかといった組み合わせやアルコール濃度の嗜好については、消費者に任せることができれば好都合である。
【０００８】
このようにペットボトルのような飲料用容器では、そもそも容器同士で他の飲料と混合させるということを想定していないため、他の飲料と混合可能とした飲料用容器についての従来技術は存在しない。
【０００９】
一方、シャンプーや洗剤の詰め替え容器、薬液、化粧品の混合容器、複写機用トナーボトルへの詰め替え用トナーパックといった分野では、複数の容器間で内容物を詰め替えたり、混ぜ合わせたりといった機能を有する製品が従来から存在する。
【００１０】
その一つめとして、特許文献１（特開２０００−１５９２４９号公報、発明の名称「詰め替えキャップ」）に記載されたものが知られている。
【００１１】
この詰め替えキャップは、キャップ本体の下部に、詰め替え元となる容器の口部に螺合する下部スクリューねじを形成し、キャップ本体の上部に、詰め替え先となる容器の口部に螺合する上部スクリューねじを形成し、これらの中間にプルトップ付きの仕切り膜を設けて構成されている。そして、詰め替えの際は、プルトップを引いて仕切り膜を開放したのち、上部スクリューねじに、逆さにした詰め替え先となる容器の口を螺合し、その上で、両容器を一体に逆さにして詰め替え元となる容器を上にすることで、詰め替え元の容器の内容物を、詰め替え先の容器内に流下させる、というものである。
【００１２】
二つめとして、特許文献２（特開２００９−５１７２９３号公報、発明の名称「ドロッパーネックを受けブッシング、対応パッケージ、及び対応キット」）に記載されたものが知られている。
【００１３】
この発明の構成は、２つの密封したボトルのうち、一方のボトルには粉末乾燥状の第１の活性生成物、他方のボトルには、溶液または懸濁液よりなる第２の生成物が収容され、双方のボトル口部を、内部スレッド、内部ショルダーを備えたブッシング、ストッパー、ドロッパー等の分離可能な複数部材から構成されるジョイント部材を介して相互に結合し、ストッパー上の保護膜をドロッパー先端部が穿入し連通させることで、内容物を混合させるものである。
【００１４】
三つめとして、特許文献３（実開昭６３−８２７３５号公報、考案の名称「組立て可能な容器ユニット」）に記載されたものが知られている。
【００１５】
この容器ユニットは、異なる物質を収容した二つの容器間において、一方の容器は、口部を覆うシール部材により密封され、他方の容器には口部に先端の尖った栓若しくは先端を尖らせた口部を備えている。両容器は、双方の容器が密封用連結部材を介して螺合結合され、一方の容器の口部を覆っているシール部材を他方の容器の先端の尖った栓または口部により破ることで連通させる、というものである。
【００１６】
四つめとして、特許文献４（特開２００３−２８４７６１号公報、発明の名称「薬液キット」）に記載されたものが知られている。
【００１７】
この薬液キットは、溶解用液を充填した溶解用容器と、薬剤を充填した薬剤容器およびこれらをつなぐ結合手段よりなる。そしてこの結合手段は、溶解用容器結合部、薬剤容器収納部および通液を可能とするコネクター部よりなり、溶解用容器結合部と薬剤容器収納部を引き離すことにより、コネクター間の通液間が開通し、容器間の溶液を混合させるものである。
【００１８】
五つめとして、特許文献５（特開２００６−２３５０４６号公報、発明の名称「トナーボトル及びこれらを備えた画像形成装置並びにトナーパック及びトナー補給装置」）に記載されたものが知られている。
【００１９】
この発明では、画像形成装置に着脱自在に装着されて現像器にトナーを供給するトナーボトル等に関するものである。このトナーボトルにはトナーを収容するトナーパックの排出部に密閉状態で螺子止め結合可能な受入部を有している。また、トナーボトルとトナーパックとを結合した状態で、トナーの通過孔を開閉操作可能とするものである。
【先行技術文献】
【特許文献】
【００２０】
【特許文献１】特開２０００−１５９２４９号公報（図１、図４）
【特許文献２】特開２００９−５１７２９３号公報（図１〜図４）
【特許文献３】実開昭６３−８２７３５号公報（図１〜図３）
【特許文献４】特開２００３−２８４７６１号公報（図１〜図３）
【特許文献５】特開２００６−２３５０４６号公報（図３〜図９）
【発明の概要】
【発明が解決しようとする課題】
【００２１】
このように特許文献１から特許文献５に示された先行技術は、二つの容器口部を結合し、仕切り部を破断するものであるが、各飲料メーカーから販売され、消費者が独自に購入し単独で飲まれることを想定したメーカーが異なる飲料用ボトル間の内容物を混合させるものはなかった。
【００２２】
このため、各先行技術文献の技術をそのまま飲料容器に適用した場合は、それぞれ以下のような課題を解決する必要があった。
【００２３】
特許文献１に示される詰め替えキャップの構造では、詰め替え容器のプルトップを予め開栓し、空の状態の詰め替え先となる容器の口を上部スクリューねじに螺合し、その状態で両容器を逆さにして、詰め替え元の容器の内容物を、詰め替え先の容器内に流下させるようにしている。
【００２４】
しかしながら、異なる容器に充填された飲料どうしを混ぜる用途に用いる場合には、詰め替え先の容器にも既に飲料が充填されているので、詰め替え先の容器の内容物をこぼさずに上部スクリューねじに螺合させることはできないという問題があった。
【００２５】
つづいて特許文献２に示されるブッシングは、容器のキャップとは別体の複数の構成部材が必要なため、これを飲料用品に応用した場合は、消費者は常に当該ブッシング部材を携帯する必要がある。また、ブッシングのドロッパー先端は開口状態となっているため、飲料容器の場合、ブッシングを装着したボトルを逆さにした時点で溶液がこぼれるといった問題があった。
【００２６】
また、特許文献３に示される容器ユニットは、一方の容器口部に口部を覆うシール部材が備わっており、他方の容器口部には先端が尖った栓または口部自体が尖っている必要がある。
【００２７】
このように、それぞれの容器において開口・被開口するための独特の構造を予め備えておく必要のある特許文献３は、そもそも個別に口部から直接飲むことを想定している飲料容器に適用することはできなかった。
【００２８】
さらに特許文献４で示される薬液ユニットは、一方の容器の口部に薬剤容器収納部、コネクター部および溶解用容器結合部が当初から固着されているため、口部から直接飲むことを想定した飲料容器に適用することはできないといった問題があった。
【００２９】
最後に、特許文献５で示されるトナーボトル等は、一方の容器が可撓性を有するシート材で形成された袋体よりなるトナーパックであるため折り曲げて口部を連結でき、可撓性のない飲料ボトルにそのまま適用することはできないといった問題があった。また、特許文献５は、粉体を対象にしており、飲料のような流体を対象にした場合に、その構造を適用できるかどうかはわからなかった。
【００３０】
さらに、特許文献５で示される別の実施例のトナーボトル等は、受入れ容器側のトナーボトルが口部キャップの他、カバー端部で分離できるようにするとともに、トナーパック側に当該トナーボトルのカバー端部に適合する装着部材を備えておくことが必要であった。このため、特許文献３と同様、移し替えのためには、開口・被開口するための独特の構造を双方の容器において備えておく必要があるといった問題点があった。
【００３１】
この発明は上記問題点を解決するためになされたものであり、その目的は、異なる種類の内容物を含む飲料用容器間において、一方の容器から他方の容器への内容物の流入を容易かつ確実に行える飲料用容器及びそのジョイント部材を提供することにある。
【課題を解決するための手段】
【００３２】
上記目的を達成するため、本発明の飲料用容器は、開口した口部を有する１つの容器本体を有し、この容器本体の前記口部に着脱可能に装着されるキャップと、このキャップと一体又は別体に設けられた、容器本体の内容物を他の容器に移すために該他の容器に連結するためのジョイント部材とを、前記容器本体に付設された状態で備えた飲料用容器であって、前記ジョイント部材は、他の容器への連通路に設けられた仕切り層と、前記容器本体に充填された飲料を他の容器に移す際にこの仕切り層を開口させるための連通手段とを有していることを特徴とする。
【００３３】
本発明によれば、ジョイント部材の一端に容器本体の口部を連結し、ジョイント部材の他端に他の容器の口部を連結して、その状態で連通手段によって仕切壁を開口させることにより、容器本体の飲料を他の容器内に充填することができる。あるいは、連通手段によって仕切壁を開口させた状態で、他の容器の口部にジョイント部材の他端を連結し、容器本体を傾けてその口部から、ジョイント部材の一端開口部に飲料を注入することにより、容器本体の飲料を他の容器内に充填することができる。この場合には、ジョイント部材をロートのように用いて、飲料をこぼさずに充填することができる。
【００３４】
本発明の好ましい第１の態様において、前記ジョイント部材は、前記キャップと一体に設けられており、前記キャップは、前記容器本体の口部に着脱可能に連結する第１連結手段を一端に有すると共に、他の容器の口部に着脱可能に連結する第２連結手段を他端に有しており、前記第１連結手段と前記第２連結手段との間に前記仕切り層が設けられていて、この仕切り層に、前記連通手段が設けられている。
【００３５】
この態様によれば、容器本体のキャップを用いて、他の容器への飲料の注入が可能となるので、部品点数を少なくすることができる。
【００３６】
上記第１の態様においては、前記容器本体の口部に前記第１連結手段を介して前記キャップの一端が装着され、前記キャップの他端に前記第２連結手段を介して前記他の容器の口部が装着された状態で、前記連通手段により前記仕切り層を開口できるように構成されていることが好ましい。
【００３７】
この態様によれば、容器本体の口部に第１連結手段を介してキャップの一端が装着された状態で、仕切り層が閉じているので、容器本体を逆さにして、他の容器の口部に第２連結手段を介してキャップの他端を連結することができる。そして、容器本体が上方に位置する状態で、連通手段により仕切り層を開口することにより、容器本体の飲料を他の容器に充填することができる。なお、この場合、上記と逆に他の容器の飲料を容器本体に充填することもできる。
【００３８】
本発明において、前記キャップは、前記第１連結手段を有する第１キャップと、前記第２連結手段を有する第２キャップとを有し、前記第１キャップと前記第２キャップとが、破断可能な１以上の部位での結合、環状溝と環状突部とによる嵌合、及び螺合から選ばれた少なくとも1種によって連結されていることが好ましい。
【００３９】
上記態様によれば、キャップを第１キャップと第２キャップとで構成することにより、仕切り層や連通手段を形成しやすくすることができる。なお、上記における破断可能な１以上の部位は、例えば溶着部、接着部、射出成形時の肉薄連結部などで構成することができ、特にミシン目溶着などの複数の溶着部で構成することが好ましい。以下の態様においても同様である。
【００４０】
また、前記連通手段は、前記部位での結合が用いられている場合は該部位を破断して、前記第１キャップと前記第２キャップとを相対回動させることにより、前記仕切り層が開口するように構成されていることが好ましい。
【００４１】
上記態様によれば、第１キャップと第２キャップとを相対回動させることにより、仕切り層が開口するように構成されているので、第１キャップ及び第２キャップを介してそれぞれの容器を連結し、第１キャップと第２キャップとを相対回動させることにより、仕切り層を連通させることができるので、作業性が良好となる。
【００４２】
また、本発明の別の態様として、前記連通手段は、前記部位での結合が用いられている場合は該部位を破断して、前記第１キャップと前記第２キャップとを相対回動させることにより、その操作部が前記キャップの外部に露出するように構成されていることが好ましい。
【００４３】
上記態様によれば、第１キャップと第２キャップとを相対回動させるまでは、操作部が外部に露出しないので、購入者が誤って開封したり、イタズラで開封するといった危険を防ぐことができる。
【００４４】
また、２つの容器を連結した状態で仕切り層を開口させる場合の１つの態様として、前記連通手段は、前記仕切り層の開口を前記第２連結手段側で塞ぐように剥離可能に固着されたシール材からなり、このシール材の固着されていない端部が前記キャップの外周に設けた開口から突出可能とされており、この端部を引っ張ることにより、前記シール材が剥がれて前記開口が開くように構成されていることが好ましい。
【００４５】
この態様によれば、２つの容器を連結した状態で、シール材の端部を引っ張ることにより、仕切り層を開口させることができる。
【００４６】
また、２つの容器を連結した状態で仕切り層を開口させる場合の別の態様として、前記連通手段は、前記仕切り層に形成された破断可能な囲い線と、この囲い線で囲まれた部分の前記第２連結手段側に連結されたレバー片とからなり、このレバー片が、前記キャップの外周に設けた開口から突出可能とされており、このレバー片を引っ張ることにより、前記囲い線の部分が破断されて前記仕切り層が開口されるように構成されていることが好ましい。
【００４７】
この態様によれば、２つの容器を連結した状態で、レバー片を引っ張ることにより、仕切り層を開口させることができる。
【００４８】
２つの容器を連結した状態で仕切り層を開口させる場合の更に別の態様として、前記連通手段は、前記仕切り層に設けた開口部と、前記仕切り層の前記第２連結手段側に接して配置され、一端が前記開口部を開閉可能に塞ぎ、他端が前記キャップの外周に設けたスリットから突出可能とされたオール状部材と、前記オール状部材をスライド可能に保持するガイド部とからなり、前記オール状部材の他端を引っ張ることにより、前記開口部が開口するように構成されていることが好ましい。
【００４９】
この態様によれば、２つの容器を連結した状態で、オール状部材の他端を引っ張ることにより、仕切り層を開口させることができる。
【００５０】
２つの容器を連結した状態で仕切り層を開口させる場合の更に別の態様として、前記キャップは、前記第１連結手段が設けられた第１キャップと、前記第２連結手段が設けられた第２キャップとからなり、前記第１キャップと前記第２キャップとは、破断可能な１以上の部位を介して連結されると共に、該部位を破断することによって前記第２キャップの先端が前記第１キャップの内側に挿入可能に構成されており、前記第１キャップの内部には仕切り層が設けられ、前記連通手段は、前記仕切り層に設けられた開口部と、この開口部を閉じるシール材と、前記第２キャップの先端部に設けられ、前記第２キャップの先端が前記第１キャップの内側に挿入されたとき、前記シール材を突き破って、前記第１キャップと前記第２キャップとを連通させる突起とからなることが好ましい。
【００５１】
この態様によれば、第１キャップを第２キャップに対して回転させるなどの方法で前記部位を破断し、第２キャップの先端を第１キャップの内側に挿入し、第２キャップの先端の突起でシール材を突き破ることにより、仕切り層を開口させることができる。
【００５２】
２つの容器を連結した状態で仕切り層を開口させる場合の更に別の態様として、前記キャップは、前記第１連結手段が設けられた第１キャップと、前記第２連結手段が設けられた第２キャップとからなり、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により連結されており、前記連通手段は、前記第１キャップと前記第２キャップの一方に設けられた、開口部を有する仕切り層と、前記第１キャップと前記第２キャップの他方に設けられており、前記仕切り層に摺接して、前記仕切り層に対して回動することによって、前記開口部を閉じた状態から開口した状態にする覆い板とからなることが好ましい。
【００５３】
この態様によれば、第１キャップを第２キャップに対して回転させるなどの方法で前記部位を破断して、第１キャップを第２キャップに対して相対回転させることにより、仕切り層に対して覆い板を回動させて、仕切り層の開口部を開口させることができる。
【００５４】
２つの容器を連結した状態で仕切り層を開口させる場合の更に別の態様として、前記キャップは、前記第１連結手段が設けられた第１キャップと、前記第２連結手段が設けられた第２キャップとからなり、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により連結されており、前記連通手段は、前記第１キャップに設けられた仕切り層と、前記仕切り層に形成された破断可能な囲い線と、この囲い線で囲まれた部分と前記第２キャップ内壁とを連結する連結片とからなり、前記部位を破断して、前記第１キャップに対して前記第２キャップを回動させることにより、前記連結片が引っ張られて前記囲い線の部分が破断されて前記仕切り層が開口されるように構成されていることが好ましい。
【００５５】
この態様によれば、前記部位を破断して、第１キャップに対して第２キャップを回動させることにより、連結片を介して囲い線の部分を破断して仕切り層を開口させることができる。
【００５６】
２つの容器を連結した状態で仕切り層を開口させる場合の更に別の態様として、前記キャップは、前記第１連結手段が設けられた第１キャップと、前記第２連結手段が設けられた第２キャップとからなり、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により連結されており、前記連通手段は、前記第１キャップに設けられた仕切り層と、前記仕切り層に形成された破断可能な囲い線と、この囲い線で囲まれた部分から突出した第１係合手段と、前記第２キャップ内壁から突出した、回動することによって前記第１係合手段と係合する第２係合手段とからなり、前記部位を破断して、前記第１キャップに対して前記第２キャップを回動させることにより、前記第１係合手段と前記第２係合手段とが係合し、前記囲い線の部分が引っ張られて破断し、前記仕切り層が開口されるように構成されていることが好ましい。
【００５７】
この態様によれば、前記部位を破断して、第１キャップに対して第２キャップを回動させることにより、前記第１係合手段と前記第２係合手段とが係合し、前記囲い線の部分が引っ張られて破断し、仕切り層を開口させることができる。また、第１キャップと第２キャップとを分離して形成できるので、成形が容易となる。
【００５８】
２つの容器を連結した状態で仕切り層を開口させる場合の更に別の態様として、前記キャップは、前記第１連結手段が設けられた第１キャップと、前記第２連結手段が設けられた第２キャップとからなり、前記第１キャップに対して前記第２キャップは螺着されており、前記第１キャップは、仕切り層と、該仕切り層に形成された第１開口部とを有し、前記第２キャップは、前記第１キャップに対して締め付けたときに、前記第１開口部を塞ぐ閉塞壁と、前記第１キャップと前記第２キャップとの間の空間を、前記第２連結手段側の開口に連通させる第２開口部とを有していることが好ましい。
【００５９】
この態様によれば、第１キャップに対して第２キャップを締め付けることにより、第１キャップの仕切り層に形成された第１開口部が閉塞されて、封止することができると共に、第１キャップに対して第２キャップを緩めることにより、上記第１開口部が開口して第２キャップの第２開口部を通して、第２連結手段に連結された他の容器側へ、容器本体内の飲料を流出させることが可能となる。
【００６０】
上記態様における更に好ましい態様として、前記第１キャップは、前記容器本体の口部に挿入される第１筒体と、この第１筒体に形成された第１開口部とを有し、前記第２キャップは、前記第１筒体の内部に挿入される第２筒体と、この第２筒体に形成された第２開口部とを有し、前記第１キャップに対して前記第２キャップを締め付けた状態では、前記第１開口部が前記第２筒体によって閉塞され、前記第１キャップに対して前記第２キャップを緩めることにより、前記第１開口部が開口されるように構成されていることが好ましい。
【００６１】
この態様は、第１キャップに形成された第１筒体が仕切り層を構成し、第１キャップに対して第２キャップを締め付けた状態では、第１開口部が第２筒体によって閉塞されるので容器本体を封止することができ、第１キャップに対して第２キャップを緩めることにより、第１開口部が開口されるので、第２キャップの第２開口部を通して、第２連結手段に連結された他の容器側へ、容器本体内の飲料を流出させることが可能となる。
【００６２】
上記態様における更に好ましい態様として、前記第１キャップは、前記容器本体の口部に挿入される第１筒体と、この第１筒体の端面に形成された第１開口部とを有し、前記第２キャップは、前記第１筒体の内部に所定の間隙を介して挿入される第２筒体と、前記第２キャップを前記第１キャップに対して締め付けることにより、前記第１筒体の第１開口部を塞ぐように前記第２筒体の先端部に形成された閉塞壁と、前記第２筒体の周壁に形成された第２開口部とを有していることが好ましい。
【００６３】
この態様によれば、第２キャップを第１キャップに対して締め付けることにより、第２筒体の先端部に形成された閉塞壁を第１筒体の第１開口部周縁に突き当てて第１開口部を塞ぐことができる。また、前記第２キャップを前記第１キャップに対して緩めることにより、第１筒体の第１開口部から第２筒体の閉塞壁が離れて第１開口部が開口するので、容器本体の飲料は、第１開口部を通り、第１筒体と第２筒体との間隙を通り、更に第２開口部を通って、第２キャップに連結された他の容器に注入させることができる。
【００６４】
一方、ジョイント部材をキャップと一体に設けた態様における別の態様として、前記容器本体の口部は、前記他の容器の口部よりも大きな外径を有しており、前記キャップに設けられた連通手段は、前記仕切り層に形成された開口部と、この開口部の周縁から突設された筒状突起と、この筒状突起の通路を開放可能に封止する封止手段とからなり、前記筒状突起に前記第２連結手段が設けられていることが好ましい。
【００６５】
この態様によれば、容器本体からキャップを外し、筒状突起の封止手段を開放させて、第２連結手段によりキャップの筒状突起を他の容器の口部に連結し、その状態で、容器本体を傾けてその口部から、キャップの第１連結手段側の開口部に飲料を注入することにより、キャップをロートのように用いて、飲料を他の容器に充填することができる。この場合、容器本体の口部は、他の容器の口部よりも大きな外径を有しているので、第１連結手段側の開口部が大きくなっており、容器本体の飲料を上記開口部にこぼさずに注入しやすくなる。
【００６６】
また、本発明の好ましい第２の態様においては、前記ジョイント部材は、前記キャップと別体に設けられたカップ形状の部材からなり、このカップ形状の部材の底壁が前記仕切り層をなし、前記連通手段は、前記仕切り層に形成された開口部と、この開口部の周縁から外側に突設された筒状突起と、この筒状突起の通路を封止する開放可能に封止する封止手段とからなり、前記筒状突起に前記第２連結手段が設けられている。
【００６７】
この態様によれば、封止手段で封止した状態で、カップ形状の部材に他の容器の飲料を注入して飲んだり、あるいは両容器の飲料を注入して混ぜて飲むことができると共に、他の容器の内容量がある程度減ったら、封止手段を開放して仕切り層を開口させ、他の容器の口部にカップ形状の部材を第２連結手段を介して連結し、容器本体を傾けて容器本体内の飲料を、カップ形状の部材の開口部に注ぐことにより、カップ形状の部材をロートのように用いて、容器本体の飲料を他の容器に充填することができる。
【００６８】
上記態様においては、前記カップ形状の部材の内壁若しくは外壁の少なくとも一方に、注入量の目安となる目印が形成されていることが好ましい。
【００６９】
この態様によれば、例えば容器本体内の飲料の容量に相当する量のところに上記目印を付しておくことにより、カップ形状の部材に他の容器の飲料を目印のところまで注入して飲んでおくことによって、容器本体の飲料を全て他の容器に充填しても飲料が溢れないようにすることができる。また、目印を、容量を表す目盛にしておけば、両容器の飲料を注入して混ぜて飲むときに、目印によって両者を所定の割合で混ぜることも可能となる。
【００７０】
本発明において、前記第１連結手段は、前記容器本体の口部に螺着される雌ネジからなることが好ましい。
【００７１】
また、前記第２連結手段は、前記他の容器の口部に螺着される雌ネジからなることが好ましい。
【００７２】
また、前記第２連結手段は、前記他の容器の口部に差し込まれる外径で形成された筒状突起からなっていてもよい。
【００７３】
一方、本発明の飲料用容器のジョイント部材は、２つの飲料用容器を連結して、一方の飲料用容器に充填された飲料を他方の飲料用容器に移すために用いられるジョイント部材であって、一方の飲料用容器の口部に連結する第１連結手段を一端に有すると共に、他方の飲料用容器の口部に連結する第２連結手段を他端に有しており、前記第１連結手段と前記第２連結手段との間に仕切り層が設けられていて、この仕切り層に、両方の飲料用容器の口部を連結した状態で、前記仕切り層を開口できるように構成された連通手段が設けられていることを特徴とする。
【００７４】
このジョイント部材によれば、移すべき飲料が充填された一方の飲料用容器の口部に第１連結手段を介してジョイント部材を連結し、仕切り層が閉じている状態で、他方の飲料用容器の口部を第２連結手段に連結し、一方の飲料用容器を逆さにして上方に配置した状態で、連通手段によって仕切り層を開口することにより、一方の飲料用容器の飲料を他方の飲料用容器に移すことができる。こうして、一方の飲料用容器の飲料を他方の飲料用容器に移して、他方の飲料用容器に充填されている飲料と混合することにより、２つの飲料を混合した飲料を手軽に作ることができる。
【発明の効果】
【００７５】
本発明によれば、消費者は、異なる飲料用容器間で好みに応じて内容物を混ぜ合わせることができるため、いろいろなバリエーションの飲み物を所望する濃さで楽しむことができる。また、メーカーにとっては、新たな需要創造と消費者の広いニーズへの対応、更には、消費者に混ぜ合わせを任せることで、商品ラインアップを多品種少量生産から少品種大量生産に切り替えられ、製造、卸し、販売における管理コストの低減が図れるといったメリットがある。
【００７６】
また、例えば一般的なアルコール割り商品は缶入りのため、歩きながらの飲む場合、歩く振動でこぼれてしまい、電車内でも列車の揺れや振動で倒れたり、また、降車する前には飲み終えなければならないといった不便があったが、本発明によれば、歩行中や、電車内などでも、飲みたい時に容器を開栓して、飲みたい量を小分けして飲めるといったメリットが得られる。
【図面の簡単な説明】
【００７７】
【図１】本発明の第１実施例の飲料用容器を示す斜視図である。
【図２】同第１実施例において、他の飲料用容器を接続した状態を示す説明図である。
【図３】本発明の第２実施例の飲料用容器の仕切り層と仕切り層連通手段の説明図であって、（A）は平面断面図、（B）は部分側面断面図である。
【図４】本発明の第３実施例の飲料用容器の仕切り層と仕切り層連通手段の説明図であって、（A）は平面断面図、（B）は部分側面断面図である。
【図５】本発明の第４実施例の飲料用容器の仕切り層と仕切り層連通手段の説明図であって、（A）は平面断面図、（B）は部分側面断面図である。
【図６】本発明の第５実施例の飲料用容器のキャップに形成される第１連結手段及び第２連結手段を示す部分側面断面図である。
【図７】本発明の第６実施例の飲料用容器のキャップに形成される第１連結手段及び第２連結手段を示し、（A）は部分側面断面図、（B）は平面図である。
【図８】本発明の第７実施例の飲料用容器の仕切り層と仕切り層連通手段の説明図であって、（A）は他の容器を連結する前の部分側面断面図、（B）は容器本体の上方から見た平面図、（C）は他の容器を連結して仕切り層を開口させた状態の部分側面断面図である。
【図９】本発明の第８実施例の飲料用容器の仕切り層と仕切り層連通手段の説明図であって、（A）は他の容器を連結する前の部分側面断面図、（B）はキャップの分解斜視図、（C）は容器本体を逆さにして見たキャップ部の斜視図である。
【図１０】本発明の飲料用容器において、キャップに設けるカバー部材の例を示す説明図である。
【図１１】本発明の第９実施例の飲料用容器の仕切り層と仕切り層連通手段の説明図であって、（A）は仕切り層の開口前の部分側面断面図、（B）は仕切り層の開口後の部分側面断面図である。
【図１２】同第９実施例における飲料用容器の仕切り層と仕切り層連通手段の説明図であって、（A）は仕切り層の開口前のキャップを切り欠いて示す斜視図、（B）は仕切り層の開口後のキャップを切り欠いて示す斜視図である。
【図１３】本発明の第１０実施例の飲料用容器のキャップ近傍を示す、仕切り層が閉じた状態の部分断面図である。
【図１４】同第１０実施例の飲料用容器に他の容器を接続し、仕切り層を開いた状態にした部分断面図である。
【図１５】本発明の第１１実施例の飲料用容器を示し、（A）は側面断面図、（B）は他の容器に容器本体の飲料を注ぐ状態の側面断面図である。
【図１６】本発明の第１２実施例の飲料用容器を示す断面図である。
【図１７】同第１２実施例の飲料用容器に付属されたカップに他の容器の飲料を注入する状態を示す斜視図である。
【図１８】同第１２実施例の飲料用容器に付属されたカップを他の容器に連結し、容器本体の飲料を他の容器に注入する状態を示す斜視図である。
【図１９】前記第１実施例の飲料用容器を改良した第１３実施例の飲料用容器のキャップ部を示し、（A）は溶着部破断前の側面断面図、（B）は溶着部を破断して第１キャップと第２キャップとを相対回転させた状態の側面断面図である。
【図２０】前記第２実施例の飲料用容器を改良した第１４実施例の飲料用容器のキャップ部を示し、（A）は溶着部破断前の側面断面図、（B）は溶着部を破断して第１キャップと第２キャップとを相対回転させた状態の側面断面図である。
【図２１】前記第４実施例の飲料用容器を改良した第１５実施例の飲料用容器のキャップ部を示し、（A）は溶着部破断前の平面断面図、（B）は溶着部破断前の側面断面図、（C）は溶着部を破断して第１キャップと第２キャップとを相対回転させた状態の側面断面図である。
【図２２】前記第９実施例の飲料用容器を改良した第１６実施例の飲料用容器のキャップ部を示し、（A）は溶着部破断前の側面断面図、（B）は上記（A）のB−B矢示線に沿った断面図である。
【発明を実施するための最良の形態】
【００７８】
図１、２には、本発明の第１実施例の飲料用容器が示されている。図１に示すように、この飲料用容器１は容器本体２と、キャップ３とで構成されている。飲料用容器１に充填する飲料は、特に限定されないが、この実施形態では、焼酎等のアルコール飲料が所定量充填されている。容器本体２は、適当な合成樹脂、好ましくはポリエチレンテレフタレート製の容器（ペットボトル）からなり、キャップ３は、例えばポリプロピレン等の合成樹脂からなっている。
【００７９】
キャップ３は、その一端３ａの内周に、容器本体２の口部２ａに螺着される図示しない雌ネジ部が形成され、この雌ネジ部が本発明における第１連結手段を構成している。また、キャップ３の他端３ｂの内周には、他の容器１０（図２参照）の容器本体１１の口部１１ａに螺着可能な雌ネジ部４ｂが形成され、この雌ネジ部４ｂが本発明における第２の連結手段を構成している。
【００８０】
キャップ３の軸方向中間部には、仕切壁５が形成されており、この仕切壁５が本発明における仕切り層を構成している。仕切壁５には、開口部６が形成されている。そして、仕切壁５の開口部６を封止するように、シール片７の一端部が剥離可能に溶着、接着等の手段で固着されており、シール片７の他端部はキャップ３の周壁の一部に形成されたスリット８を介して、外部に挿出されている。そして、シール片７の他端部を図１の矢印で示すように引っ張ることにより、シール片７を開口部６から引き剥がして開口部６を開口できるようになっている。上記開口部６とシール片７とが、本発明における連通手段を構成している。そして、この実施形態では、上記キャップ３が本発明におけるジョイント部材を兼ねている。
【００８１】
図２に示すように、この飲料用容器１は、お茶、ジュース等の他の飲料が充填された他の容器１０に連結されて、容器本体２に充填された焼酎等のアルコール飲料を注入できるようになっている。すなわち、他の容器１０の飲料がある程度消費されて、内部に所定量の空間が存在する状態で、飲料用容器１を逆さにし、他の容器１０の容器本体１１の口部１１ａに、飲料用容器１のキャップ３のネジ部４を螺合させて、両容器本体２，１１を連結する。この場合、飲料用容器１のアルコール飲料もある程度消費して、内容量を減らしておいてもよい。
【００８２】
そして、両容器本体２，１１が連結され、飲料用容器１が逆さに支持された状態で、シール片７の他端部を引っ張ることにより、仕切壁５の開口部６を開口させ、飲料用容器１の容器本体２に充填されたアルコール飲料を、お茶、ジュース等の他の飲料が充填された他の容器１０に注入することができる。
【００８３】
その後、他の容器１０の容器本体１１からキャップ３を取外し、他の容器１０のキャップ１２で蓋をして、他の容器１０を数回振ることにより、両容器に充填された飲料を混ぜ合わせ、他の容器１０のキャップ１２を開いて、混合した飲料を飲むことができる。
【００８４】
この飲料用容器１によれば、例えば散歩などの運動時には、他の容器１０に充填されたお茶、ジュース等の飲料を飲み、運動が終わった後、あるいは運動の途中で、本発明に係る飲料用容器１を連結し、飲料用容器１内の焼酎等のアルコール飲料を注入して混合することにより、お茶、ジュース等の飲料で薄められたアルコール飲料を飲むことができる。
【００８５】
図３には、本発明の第２実施例の飲料用容器が示されている。飲料用容器１の基本的構成については、図１で説明したものと同じであり、実施例１との違いは、キャップ３とそれに設けられた連通手段の構成である。図３に示すように、キャップ３の仕切壁５には、３方向が破断可能な薄肉部よりなる囲い線２１で囲まれた舌片２２を備えている。前記舌片２２の一部には、プラスチックで一体成形されたプルトップレバー２３（本発明におけるレバー片を構成する）の一端が形成されている。プルトップレバー２３の他端は中空リング２４がキャップ３の外側に突出するように形成されている。
【００８６】
したがって、飲料用容器１を逆さにして他の容器１０に連結した後（図２参照）、プルトップレバー２３を横方向に引っ張ることにより、薄肉部よりなる囲い線２１に沿って仕切り壁５の一部をなす舌片２２が破断されてめくれ、仕切り壁５が開口して、飲料用容器１と他の容器１０が、上記開口を介して上下に連通し、飲料用容器１の飲料（例えばアルコール飲料）が、他の容器１０に充填されて、他の容器１０の飲料と混合することができる。なお、プルトップレバー２３を引っ張ったとき、舌片２２の引き剥がしは、囲い線２３がない部分で止まり、めくれた舌片２２の裏面が、飲料用容器１から他の容器１０容器へ流入する内容物の外部への流出を防ぐガード壁として機能する。
【００８７】
図４には、本発明の第３実施例の飲料用容器が示されている。飲料用容器１の構成については、図１で説明したものと同じであり、実施例１との違いは、キャップ３とそれに設けられた連通手段の構成である。この実施例では、キャップ３が、第１キャップ３ａ’と第２キャップ３ｂ’とで構成されている。第１キャップ３ａ’及び第２キャップ３ｂ’は、それぞれ仕切り壁５ａ、５ｂを有し、それぞれの仕切り壁５ａ、５ｂの中心を連結軸２５で回動可能に連結されている。
【００８８】
そして、各仕切り壁５ａ、５ｂは、それぞれ開口部６ａ、６ｂを有し、第１キャップ３ａ’及び第２キャップ３ｂ’を相対的に回動させることにより、両開口部６ａ、６ｂが合致して、仕切り壁５ａ、５ｂが連通するようになっている。したがって、この実施例では、回動可能に連結された第１キャップ３ａ’及び第２キャップ３ｂ’と、それらの仕切り壁５ａ、５ｂに形成された開口部６ａ、６ｂが、本発明における連通手段を構成している。
【００８９】
なお、仕切り壁５ａ、５ｂの間には、それらの周縁部と、各開口部６ａ、６ｂとを囲む図示しないシーリング手段が設けられており、容器本体２に充填された飲料が漏れないようになっている。
【００９０】
この実施例では、第１キャップ３ａ’及び第２キャップ３ｂ’を相対的に回動させて、開口部６ａ、６ｂを開閉することにより、飲料用容器１内の飲料の他の容器１０への流入量を適宜調節することができるので、飲む人の好みに応じた流入量の調節や、複数回に亘って流入させるといったことが可能となる。
【００９１】
続いて、本発明の第４実施例を図５に基づいて説明する。飲料用容器１の構成については、図１で説明したものと同じであり、実施例１との違いは、キャップ３とそれに設けられた連通手段の構成である。この実施例では、キャップ３の仕切り壁５に開口部６が設けられている。そして、この開口部６を覆うように、オール状部材２６が、その両側に配置されたスライドガイド２７を介して、スライド可能に配置されている。オール状部材２６は、開口部６を開閉可能に覆う幅広部２６ａと、キャップ３の外方にスリット８を介して挿出された、幅狭の柄部２６ｂとを有している。そして、柄部２６ｂを引っ張って、図５（ａ）の矢印方向にスライドさせることにより、開口部６が開口して、連通されるようになっている。なお、柄部２６ｂを最大限に引っ張ると、幅広部２６ａがスリット８の周縁に係合して、オール状部材２６が外れないようになっている。
【００９２】
なお、仕切り壁５の開口部６周縁とオール状部材２６との間には、図示しないシーリング手段が設けられており、容器本体２に充填された飲料が漏れないようになっている。また、オール状部材２６への引っ張りを解放した時点で、オール状部材２６の幅広部２６ａが、開口部６上に復帰するように板バネを装着してもよい。
【００９３】
この実施例では、飲料用容器１と他の容器１０とを連結するときには、オール状部材２６の幅広部２６ａが開口部６を覆っておき、飲料用容器１を逆さまにした状態で両者を連結して、オール状部材２６の柄部２６ｂを引っ張ることにより、幅広部２６ａがスライドガイド２７に沿って横方向に移動し、開口部６が露出することで、仕切り壁５が上下に連通し、飲料用容器１の飲料が、他の容器１０に充填されることとなる。
【００９４】
そして、この実施例においても、オール状部材２６による開口部６の開閉により飲料用容器１内の内容物の流入量を適宜調節することができるので、飲む人の好みに応じた流入量の調節や、複数回に亘って流入させるといったことが可能となる。
【００９５】
続いて、本発明の第５実施例を図６に基づいて説明する。この実施例は、基本的には実施例１と同じ構成からなるが、キャップ３の第２の連結手段の構成及び仕切り壁の連通手段が異なっている。
【００９６】
図６において、キャップ３の一端３ａの内周には、容器本体２の口部２ａに螺着する雌ネジ部４ａが形成されており、この雌ネジ部４ａが本発明における第１の連結手段を構成している。一方、キャップ３の他端３ｂの内周には、ネジの代わりに、ポリウレタン等の弾性樹脂部材２８を容器装着口の内面に配設されており、この弾性樹脂部材２８が本発明における第２の連結手段を構成している。
【００９７】
メーカーの異なるペットボトル等の容器にあっては、スクリューねじのピッチ幅が必ずしも互換性を有しているとは限らない。この実施例においては、容器装着口の内面に配したポリウレタン等の弾性樹脂部材２８が、他の容器１０の口部１１ａと嵌合した場合に、圧接して固定することで、スクリューねじの互換性を意識することなく、飲料容器を接合できるというメリットがある。
【００９８】
また、この実施例では、仕切り壁５が上下壁５ｃ、５ｄで構成され、上下壁５ｃ、５ｄの対応する箇所に、それぞれ開口６ｃ、６ｄが形成されており、上下壁５ｃ、５ｄの間にスライド片２９が挿入されている。そして、スライド片２９を引き出すことによって、上下の開口６ｃ、６ｄが連通して開口するようになっている。
【００９９】
続いて、本発明の第６実施例を図７に基づいて説明する。この実施例は、基本的には前記第５実施例と同様であるが、第２連結手段が異なっている。すなわち、この実施例では、キャップ３の他端３ｂに、第２連結手段として、十字状のスリット３１を有するゴム膜３０が配置されている。スリット３１は、他の容器１０の口部１１ａを挿入するのに必要な長さを有しており、他の容器１０の口部１１ａを差し込むと、弾性的に開いて他の容器１０の口部１１ａ外周に圧接され、他の容器１０の口部１１ａを弾性的に保持できるようになっている。このゴム膜３０が本発明における第２の連結手段を構成している。
【０１００】
続いて、本発明の第７の実施例を図８に基づいて説明する。飲料用容器１の構成については、図１で説明したものと同じであり、実施例１との違いは、キャップ３とそれに設けられた連通手段の構成である。
【０１０１】
この実施例では、キャップ３が、第１キャップ３ｃと、第２キャップ３ｄとからなり、第２キャップ３ｄは、第１キャップ３ｃの一端に破断可能な肉薄部３２を介して連結されている。また、第２キャップ３ｄは、第１キャップ３ｃの内径に適合する外径を有し、第１キャップ３ｃに対して第２キャップ３ｄを回動させて、上記肉薄部３２を破断することにより、第２キャップ３ｄが第１キャップ３ｃの内周に挿入できるようになっている。
【０１０２】
また、第２キャップ３ｄの端面３３には、開口部３４と、この開口部３４の周縁から突設された突起３５とを有している。突起３５は、周縁に開口部３４に連通する隙間を有している。第２キャップ３ｄの内周には、他の容器１０の容器本体１１の口部１１ａに螺着する雌ネジ部４ｂが形成されている。
【０１０３】
一方、第１キャップ３ｃの中間部には、仕切り壁５が設けられており、仕切り壁５には、開口部６が形成されている。そして、開口部６は、薄いシートからなるシール材３６によって封止されている。また、第１キャップ３ｃの第２キャップ３ｄとは反対側の端部内周には、飲料用容器１の容器本体２の口部２ａに螺着する雌ネジ部４ａが形成されている。
【０１０４】
この実施例では、飲料用容器１の口部２ａに第１キャップ３ｃの雌ネジ部４ａを螺着して飲料用容器１を封止しておき、その状態で、飲料用容器１を逆さにして上方に配置し、第２キャップ３ｄの雌ネジ部４ｂに他の容器１０の口部１１ａを螺着して、両容器１，１０を連結する。そして、第２キャップ３ｄを第１キャップ３ｃに対してねじって、肉薄部３２を破断させる。
【０１０５】
それによって、図８（ｃ）に示すように、第２キャップ３ｄが第１キャップ３ｃの内周に挿入され、第２キャップ３ｄの突起３５が、第１キャップ３ｃのシール材３６を突き破り、開口部６が開口する。その結果、飲料用容器１の飲料が、他の容器１０に注入されることになる。
【０１０６】
続いて、本発明の第８実施例を図９に基づいて説明する。飲料用容器１の構成については、図１で説明したものと同じであり、実施例１との違いは、キャップ３とそれに設けられた連通手段の構成である。
【０１０７】
この実施例では、キャップ３が、飲料用容器１の口部２ａに螺着する雌ネジ部４ａを有する第１キャップ３ｅと、他の容器１０の口部２ａに螺着する雌ネジ部４ｂを有する第２キャップ３ｆとで構成されている。第１キャップ３ｅの内周には、環状溝３７が形成され、第２キャップ３ｆの外周には、上記環状溝３７に嵌合する環状突部３８が形成されており、環状溝３７と環状突部３８との嵌合により、第１キャップ３ｅに対して第２キャップ３ｆがシールされると共に、後述する態様で両者が分離されたときには、両者が回動可能とされるように構成されている。なお、第１キャップ３ｅの内周に環状突部が形成され、第２キャップ３ｆの外周に上記環状突部が嵌合する環状溝が形成されていてもよい。
【０１０８】
第２キャップ３ｆの内端部には、仕切り壁５が形成されており、これに開口部６が設けられている。また、第１キャップ３ｅの、上記環状溝３７の上方に覆い板３９が設けられており、第１キャップ３ｅに対する第２キャップ３ｆの回動角度によって、開口部６が開口したり、閉じたりするように構成されている。なお、特に図示はしていないが、開口部６の周縁には、覆い板３９が摺接したとき、開口部６を完全に閉塞するためのシールリングが設けられている。そして、第２キャップ３ｆは、第１キャップ３ｅに対して、ミシン目溶着された破断可能な連結部４０を介して連結されている。なお、破断可能な連結部４０は、ミシン目溶着に限らず、溶着部、接着部、射出成形時の肉薄連結部などで構成される破断可能な１つ以上の部位で構成することができる。以下の実施形態における「ミシン目溶着」においても同様である。
【０１０９】
したがって、飲料用容器１の口部２ａに第１キャップ３ｅの雌ネジ部４ａを螺着して飲料用容器１を封止しておき、その状態で、飲料用容器１を逆さにして上方に配置し、第２キャップ３ｄの雌ネジ部４ｂに他の容器１０の口部１１ａを螺着して、両容器１，１０を連結する。そして、第２キャップ３ｄを第１キャップ３ｃに対してねじって、連結部４０を破断させる。そして、第１キャップ３ｅに対して第２キャップ３ｆを回転させると、連結部４０が破断されて、両キャップ３ｅ、３ｆが互いに回動することができるようになる。その結果、両キャップ３ｅ，３ｆを回動させて、仕切り壁５の開口部６を第２キャップ３ｆの覆い板３９で開閉し、飲料用容器１内の飲料を所望の量だけ他の容器１０へ注入することができる。
【０１１０】
図１０には、例えば図１に示した飲料用容器１において、キャップ３の他の容器１０が連結される端部側の開口部を塞ぐシール材４１を設けた例が示されている。このように、キャップ３の他の容器１０が連結される端部をシール材４１で塞いでおき、他の容器１０と連結するときに剥がして使用することにより、キャップ３内にほこり等が入るのを防止できる。このシール材４１は、本発明の他の実施例にも適用可能である。
【０１１１】
図１１、１２には、本発明の第９実施例の飲料用容器が示されている。図１１は飲料用容器を逆さにして他の容器と連結した状態の部分断面図であり、図１２は同状態でのキャップを切り欠いて示す斜視図である。
【０１１２】
この実施例では、キャップ３が飲料用容器１の容器本体２の口部２ａに螺着される雌ネジ部４ａを内周に有する第１キャップ３ｇと、他の容器１０の容器本体１１の口部１１ａに螺着される雌ネジ部４ｂを内周に有する第２キャップ３ｈとからなる。第２キャップ３ｈの第１キャップ３ｇ側の端部内周には、環状溝４２が形成されている。
【０１１３】
また、第１キャップ３ｇの第２キャップ３ｈ側の端部には、第２キャップ３ｈの内周に挿入される環状リブ４３と、この環状リブ４３の先端部外周に形成され、前記環状溝４２に嵌着される環状突部４４が形成されている。
【０１１４】
また、第１キャップ３ｇの環状リブ４３の基端部には、仕切り壁５が形成されており、この仕切り壁５には、３方向が破断可能な薄肉部よりなる囲い線で囲まれた舌片４５が装着されている。
【０１１５】
一方、第２キャップ３ｈには、内周の対向する壁部を連結する梁４６が形成され、この梁４６と舌片４５の端部で連結する連結帯４７が設けられている。連結帯４７は、舌片４５の前記薄肉部よりなる囲い線で囲まれた部分の端部に連結され、舌片４５の仕切壁５に連結された部分は、連結帯４７が連結された部分の反対側に位置している。
【０１１６】
そして、第１キャップ３ｇと第２キャップ３ｈとは、環状溝４２に環状リブ４３の環状突部４４を嵌着させた状態で、それらの当接面をミシン目溶着された破断可能な連結部４０を介して連結されている。
【０１１７】
この実施例では、図１１（ａ）、図１２（ａ）に示すように、飲料用容器１を逆さにして、キャップ３の第２キャップ３ｈに、雌ネジ部４ｂを介して、他の容器１０の口部１１ａを螺着させて連結する。この状態で、第１キャップ３ｇに対して第２キャップ３ｈにねじり力を加え、連結部４０を破断して、第１キャップ３ｇに対して第２キャップ３ｈを相対回転させる。
【０１１８】
すると、図１１（ｂ）、図１２（ｂ）に示すように、梁４６と共に連結帯４７が回転して、仕切り壁５の一部をなす舌片４５が連結帯４７に引っ張られて破断されてめくれる。その結果、開口部６が開口して、飲料容器１内の飲料が他の容器１０に注入される。
【０１１９】
図１３，１４には、本発明の第１０実施例の飲料用容器が示されている。図１３は、飲料用容器のキャップ近傍を示す、仕切り層が閉じた状態の部分断面図であり、図１４は、飲料用容器を逆さにして他の容器を接続し、仕切り層を開いた状態にした部分断面図である。
【０１２０】
図１３に示すように、この実施例では、キャップ３が飲料用容器１の容器本体２の口部２ａに螺着される雌ネジ部４ａを内周に有する第１キャップ３ｉと、他の容器１０の容器本体１１の口部１１ａに螺着される雌ネジ部４ｂを内周に有する第２キャップ３ｊとからなる。
【０１２１】
第１キャップ３ｉは、容器本体２の口部２ａに挿入される第１筒体４８を有し、この第１筒体４８の挿入側端面には、底壁４９と、その中央部に形成された第１開口部５０とが設けられている。第１筒体４８の第２キャップ３ｊ側の端部内周には、雌ネジ部５１が形成されている。上記第１筒体４８が本発明における仕切り層を構成している。
【０１２２】
第２キャップ３ｊは、雌ネジ部４ｂの内端から半径方向内方に延出されて、第１キャップ３ｉの端面に当接する壁部５２を有し、この壁部５２の中央部に通路５３が形成されている。そして、壁部５２の通路５３の外周から、第１キャップ３ｉの第１筒体４８内に挿入される第２筒体５４が突設されている。この第２筒体５４の基部側外周には、前記第１キャップ３ｉの雌ネジ部５１に螺着される雄ネジ部５５が形成されている。
【０１２３】
第２筒体５４の雄ネジ部５５よりも先端側は、第１筒体４８の内周に対して所定の間隙５６が設けられるように外径が設定されている。第２筒体５４の先端部は、次第に縮径するテーパ部５７を介して閉塞されており、雄ネジ部５５を雌ネジ部５１に螺着させて締め付けると、テーパ部５７が第１開口部５０内周に密接して、第１開口部５０を閉塞するようになっている。そして、第２筒体５４の雄ネジ部５５に近接した周壁には、第２開口部５８が形成されている。この実施例では、第２開口部５８は、周方向に対向する２箇所に設けられた孔で構成されている。
【０１２４】
更に、第２キャップ３ｊの雌ネジ部４ｂ側の端部開口には、図１０で示したシール材４１が剥離可能に装着されている。このシール材４１は、第２キャップ３ｊ内にほこり等が入るのを防ぐと共に、第１開口部５０での封止が不十分で飲料が万一漏れたとしても、外部流出を防ぐのに役立つ。
【０１２５】
この飲料用容器１では、第２キャップ３ｊの雄ネジ部５５を第１キャップ３ｉの雌ネジ部５１に螺着させて締め付けることにより、第２筒体５４のテーパ部５７が第１開口部５０内周に密接して、第１開口部５０を閉塞するので、飲料用容器１を確実に封止することができる。なお、第１開口部５０の内周にシールリングを装着して、より気密性を向上させるようにしてもよい。
【０１２６】
また、第２筒体５４の先端部をストレートな筒状にして、その端面を比較的広いフラットな端面とし、この端面を第１開口部５０の周縁部に押し当てて封止するようにしてもよい。更に、第１キャップ３ｉの長さを長くし、雌ネジ部５１が設けられた孔を軸方向に長くとって、第１筒体４８を単なるフラットな仕切壁とし、その仕切壁に設けた開口部を第２筒体５４で封止するようにしてもよい。
【０１２７】
そして、飲料用容器１内の飲料を、他の容器１０に注入して、飲料を混ぜて飲みたいときには、第１開口部５０が封止された状態で、上記シール材４１を引き剥がし、図１４に示すように、飲料用容器１を逆さまにして、第２キャップ３ｊの雌ネジ部４ｂに、他の容器１０の口部１１ａを螺着させる。
【０１２８】
この状態で、第１キャップ３ｉに対して、第２キャップ３ｊを回して、雌ネジ部５１と雄ネジ部５５との螺合を緩めていくと、第２筒体５４が第１筒体４８から徐々に引き抜かれ、第２筒体５４の先端のテーパ部５７が第１開口部５０から離れて、第１開口部５０が開口される。
【０１２９】
その結果、図１４中の矢印で示すように、飲料用容器１内の飲料が、第１開口部５０から間隙５６を通り、更に第２筒体５４の第２開口部５８から第２筒体５４内に入り、他の容器１０内に注入される。なお、注入を途中でやめたいときには、第１キャップ３ｉに対して第２キャップ３ｊを締め付ける方向に回転させ、第２筒体５４のテーパ部５７を第１開口部５０に密接させることにより、飲料用容器１を再び封止して、注入を停止させることができる。
【０１３０】
この実施例では、第１キャップ３ｉの第１筒体４８が、本発明における仕切り層を構成し、第１筒体４８の第１開口部５０と、第２筒体５４の第２開口部５８と、雌ネジ部５１及び雄ネジ部５５の螺合とが、本発明における連通手段を構成している。なお、第１開口部と第２開口部とを連通させる手段は、上記のような構成に限定されず、第１筒体と第２筒体の回転やネジ移動によって通路が開口するようにした各種の構成を採用できる。また、第１キャップ３ｉは、容器本体２の口部２ａに固着されていてもよい。更に、第１キャプ３ｉと第２キャップ３ｊとがミシン目溶着などの破断可能な部位で連結されていてもよく、その場合には、第１キャプ３ｉに対して第２キャップ３ｊを不用意に回転させてしまうことを防止できる。
【０１３１】
図１５には、本発明の第１１実施例の飲料用容器が示されている。同図（Ａ）に示すように、この飲料用容器１は、容器本体２が口部２ａに至るまでストレートな太さとなっており、キャップ３内周に形成された雌ネジ部４ａが、ストレートな太さの口部２ａ外周に螺着している。そのため、キャップ３を取り外したときの雌ネジ部４ａ内周の開口部が大きくされている。
【０１３２】
また、キャップ３には、雌ネジ部４ａと反対側の端部からやや奥まった位置に仕切壁５が形成されており、この仕切壁５の中央部に開口部６が設けられている。そして、仕切壁５の外側であって開口部６の周縁には、他の容器１０の口部１１ａ内周に挿入可能な外径の筒状突起５９が立設されており、この筒状突起５９の端面に剥離可能なシール材６０が装着されて開口部６が封止されている。なお、シール材６０の代わりに、別の小さいキャップなどを装着して開口部６を開閉可能に封止してもよい。また、筒状突起５９の先端の高さは、キャップ３の端面６１の高さよりも低くなっており、キャップ３を取り外した際に、上記端面６１を下方にして置く事ができるようになっている。
【０１３３】
この実施例では、キャップ３を取り外して、キャップ３をコップ代わりにして、飲料用容器１の飲料や、他の容器の飲料を、それぞれ単独で、あるいは両者を混ぜて飲むことができる。そして、他の容器の飲料がある程度減ったところで、キャップ３を取り外してシール材６０を剥がし、図１５（Ｂ）に示すように、他の容器１０の口部１１ａ内に、キャップ３の筒状突起５９を挿入して、キャップ３を他の容器１０に連結する。この状態で容器本体２を傾けて、その口部２ａから、容器本体２に充填されている飲料をキャップ３の開口部に注ぎ、キャップ３をロート代わりにして、飲料用容器１の飲料を他の容器１０に注入することができる。そして、キャップ３の雌ネジ部４ａ内周の開口部が大きくなっているので、飲料をこぼさずに他の容器１０に注入できる。
【０１３４】
図１６〜１８には、本発明の第１２実施例の飲料用容器が示されている。この飲料用容器１は、容器本体２の内容物を他の容器１０に移すために該他の容器１０に連結するためのジョイント部材が、別体のカップ６２で構成されている点が、前記各実施形態とは相違している。
【０１３５】
すなわち、図１６に示すように、カップ６２は、容器本体２の外径にほぼ適合する内径を有し、容器本体２の口部２ａにキャップ３が装着されて封止された状態で、容器本体２の口部２ａを覆うように逆さにして被せられ、外周全体を図示しないフィルム等で包装されて販売されるようになっている。
【０１３６】
そして、カップ６２は、周壁の下端からやや底上げされた位置に、カップの底壁をなす仕切壁５を有しており、この仕切壁５の中央部に開口部６が設けられている。そして、仕切壁５の外側であって開口部６の周縁には、他の容器１０の口部１１ａ内周に挿入可能な外径の筒状突起５９が立設されており、この筒状突起５９の端面に剥離可能なシール材６０が装着されて開口部６が封止されている。なお、シール材６０の代わりに、別の小さいキャップなどを装着して開口部６を開閉可能に封止してもよい。また、筒状突起５９の先端の高さは、カップ６２の下方の端面６３の高さよりも低くなっており、カップ６２を取り外した際に、上記端面６３を下方にして置く事ができるようになっている。
【０１３７】
また、図１７に示すように、このカップ６２の周壁の外側又は内側には、目印６４が設けられており、注入量の目安となるようになっている。この実施例の場合、目印６４は、飲料用容器１の内容量に相当する量のところに付されており、その下に、「他の商品をこの位置までお飲みいただいた上で注いでください。」という表示６５が付されている。そして、他の容器１０の飲料をカップ６２の開口部６６から目印６４の位置まで注入して飲むことにより、他の容器１０には、飲料用容器１の内容量を受け入れるだけのスペースができるようになっている。なお目印６４は、先に説明した第１１実施例についても適用可能である。
【０１３８】
このように、この飲料用容器１においては、カップ６２を利用して、他の容器１０の飲料を所定量飲んだ後、カップ６２のシール材６０を引き剥がし、図１８に示すように、他の容器１０の口部１１ａ内に、カップ６２の筒状突起５９を挿入して、カップ６２を他の容器１０に連結する。この状態で容器本体２を傾けて、その口部２ａから、容器本体２に充填されている飲料をカップ６２の開口部６６に注ぎ、カップ６２をロート代わりにして、飲料用容器１の飲料を他の容器１０に注入することができる。そして、カップ６２の開口部６６が大きくなっているので、飲料をこぼさずに他の容器１０に注入できる。
【０１３９】
なお、カップ６２は、両者の飲料をそれぞれ注入して、カップ内で両者の飲料を混ぜて飲むのに利用することもできる。また、目印６４は、所定間隔で形成された目盛であってもよい。また、この飲料容器１は、既存の容器にカップ６２を付けるだけで販売できるため、本発明の実施に伴い既存の容器の設計変更をする必要がないというメリットがある。
【０１４０】
図１９には、前記第１実施例の飲料用容器を改良した第１３実施例の飲料用容器のキャップ部が示されている。この実施例では、キャップ３が、第１キャップ３ａ’と、第２キャップ３ｂ’とで構成されている。そして、第１キャップ３ａ’の先端部外周に形成された環状溝７２に、第２キャップ３ｂ’の先端部内周に形成された環状突部７３が嵌合して回動可能に連結され、その状態で両者の接合部がミシン目溶着されている。また、第２キャップ３ｂ’の周壁には、開口部７１が形成されている。
【０１４１】
そして、同図（Ａ）に示すように、仕切り壁５の開口部６を閉塞するシール片７の操作部７ａは、第１キャップ３ａ’と、第２キャップ３ｂ’とが溶着された状態では、第２キャップ３ｂ’内に収容されて、外部に露出しないようになっており、同図（Ｂ）に示すように、ミシン目溶着を破断して、第１キャップ３ａ’と、第２キャップ３ｂ’とを相対回動させると、シール片７の操作部７ａが、第２キャップ３ｂ’の開口部７１を通して外部に露出するようになっている。
【０１４２】
飲料容器商品は、購入者が店先で手に取ることができるため、仕切り壁５の開口部６を閉塞するシール片７が外に出ていると、誤って開封したり、イタズラで開封するといった危険もあるが、上記実施例では、ミシン目溶着を破断して、第１キャップ３ａ’と、第２キャップ３ｂ’とを相対回動させたときに、はじめてシール片７の操作部７ａが露出するので、上記問題を解決することができる。
【０１４３】
図２０には、前記第２実施例の飲料用容器を改良した第１４実施例の飲料用容器のキャップ部が示されている。この実施例では、キャップ３が、第１キャップ３ａ’と、第２キャップ３ｂ’とで構成されている。そして、第１キャップ３ａ’の先端部外周に形成された環状溝７２に、第２キャップ３ｂ’の先端部内周に形成された環状突部７３が嵌合して回動可能に連結され、その状態で両者の接合部がミシン目溶着されている。また、第２キャップ３ｂ’の周壁には、開口部７１が形成されている。
【０１４４】
また、キャップ３の仕切壁５には、３方向が破断可能な薄肉部よりなる囲い線２１で囲まれた舌片２２を備えている。前記舌片２２の一部には、プラスチックで一体成形されたプルトップレバー２３の一端が連結され、プルトップレバー２３の他端には中空リング２４が形成されている。
【０１４５】
そして、同図（Ａ）に示すように、上記プルトップレバー２３は、第１キャップ３ａ’と、第２キャップ３ｂ’とが溶着された状態では、第２キャップ３ｂ’内に収容されて、外部に露出しないようになっており、同図（Ｂ）に示すように、ミシン目溶着を破断して、第１キャップ３ａ’と、第２キャップ３ｂ’とを相対回動させると、プルトップレバー２３の操作部となる中空リング２４が、第２キャップ３ｂ’の開口部７１を通して外部に露出するようになっている。
【０１４６】
したがって、この実施例でも、ミシン目溶着を破断して、第１キャップ３ａ’と、第２キャップ３ｂ’とを相対回動させたときに、はじめてプルトップレバー２３が外部に露出するので、誤って開封したり、イタズラで開封するといった危険を避けることができる。
【０１４７】
図２１には、前記第４実施例の飲料用容器を改良した第１５実施例の飲料用容器のキャップ部が示されている。この実施例では、キャップ３が、第１キャップ３ａ’と、第２キャップ３ｂ’とで構成されている。そして、第１キャップ３ａ’の先端部外周に形成された環状溝７２に、第２キャップ３ｂ’の先端部内周に形成された環状突部７３が嵌合して回動可能に連結され、その状態で両者の接合部がミシン目溶着されている。また、第２キャップ３ｂ’の周壁には、開口部７１が形成されている。
【０１４８】
第１キャップ３ａ’には、仕切り壁５と開口６とが設けられており、仕切り壁５にはスライドガイド２７が形成されている。そして、スライドガイド２７内には、オール状部材２６がスライド可能に配置され、同図（Ａ）に示すように、オール上部材２６の柄部２６ｂは、第１キャップ３ａ’と、第２キャップ３ｂ’とが溶着された状態では、第２キャップ３ｂ’内に収容されて、外部に露出しないようになっており、同図（Ｂ）に示すように、ミシン目溶着を破断して、第１キャップ３ａ’と、第２キャップ３ｂ’とを相対回動させると、第２キャップ３ｂ’の開口部７１を通して外部に露出するようになっている。
【０１４９】
したがって、この実施例でも、ミシン目溶着を破断して、第１キャップ３ａ’と、第２キャップ３ｂ’とを相対回動させたときに、はじめてオール上部材２６の柄部２６ｂが外部に露出するので、誤って開封したり、イタズラで開封するといった危険を避けることができる。
【０１５０】
図２２には、前記第９実施例の飲料用容器を改良した第１６実施例の飲料用容器のキャップ部が示されている。この実施例では、第９実施例における、第１キャップ３ｇの仕切り壁５に形成された舌片４５に、柱状部７２とその先端に形成された環状部７３とからなる第１係合手段７４が設けられている。また、第２キャップ３ｈの内周には、上記環状部７３に挿入されるフック状の先端部７５を有する突起部７６からなる第２係合手段７７が設けられている。
【０１５１】
したがって、ミシン目溶着された連結部４０を破断して、第１キャップ３ｇと第２キャップ３ｈとを同図（Ｂ）の矢印方向に相対回転させることにより、第１係合手段７４の環状部７３に、第２係合手段７７の先端部７５が挿入され、両者が係合して舌片４５が引っ張られて引き剥がされ、仕切り壁５が開口するようになっている。
【０１５２】
この実施例では、第１キャップ３ｇと、第２キャップ３ｈとを、連結帯４７（図１１参照）で連結することなく、別体で形成できるので、成形が容易となる。
【産業上の利用可能性】
【０１５３】
本発明は、例えば焼酎等が入った飲料用容器の飲料を、お茶等が入った他の容器の飲料と混ぜ合わせて飲むのに便利なペットボトル等の飲料用容器を提供することができる。
【符号の説明】
【０１５４】
１    飲料用容器
２    容器本体
２ａ  口部
３    キャップ
３ａ  一端
３ｂ  他端
３ａ’  第１キャップ
３ｂ’  第２キャップ
３ｃ  第１キャップ
３ｄ  第２キャップ
３ｅ  第１キャップ
３ｆ  第２キャップ
３ｇ  第１キャップ
３ｈ  第２キャップ
３ｉ  第１キャップ
３ｊ  第２キャップ
４ａ  雌ネジ部
４ｂ  雌ネジ部
５    仕切壁
５ａ、５ｂ  仕切壁
５ｃ  上壁
５ｄ  下壁
６    開口部
６ａ、６ｂ  開口部
６ｃ、６ｄ  開口
７    シール片
８    スリット
１０  容器
１１  容器本体
１１ａ  口部
１２  キャップ
２１  囲い線
２２  舌片
２３  プルトップレバー
２４  中空リング
２５  連結軸
２６  オール状部材
２６ａ  幅広部
２６ｂ  柄部
２７  スライドガイド
２８  弾性樹脂部材
２９  スライド片
３０  ゴム膜
３１  スリット
３２  肉薄部
３３  端面
３４  開口部
３５  突起
３６  シール材
３７  環状溝
３８  環状突部
３９  覆い板
４０  連結部
４１  シール材
４２  環状溝
４３  環状リブ
４４  環状突部
４５  舌片
４６  梁
４７  連結帯
４８  第１筒体
４９  底壁
５０  第１開口部
５１  雌ネジ部
５２  壁部
５３  通路
５４  第２筒体
５５  雄ネジ部
５６  間隙
５７  テーパ部
５８  第２開口部
５９  筒状突起
６０  シール材
６２  カップ
６４  目印
６５  表示
７１  開口部
７２  柄部
７３  環状部
７４  第１係合手段
７５  先端部
７６  突起部
７７  第２係合手段
【図１】
2011016581.tif 000003
【図２】
2011016581.tif 000004
【図３】
2011016581.tif 000005
【図４】
2011016581.tif 000006
【図５】
2011016581.tif 000007
【図６】
2011016581.tif 000008
【図７】
2011016581.tif 000009
【図８】
2011016581.tif 000010
【図９】
2011016581.tif 000011
【図１０】
2011016581.tif 000012
【図１１】
2011016581.tif 000013
【図１２】
2011016581.tif 000014
【図１３】
2011016581.tif 000015
【図１４】
2011016581.tif 000016
【図１５】
2011016581.tif 000017
【図１６】
2011016581.tif 000018
【図１７】
2011016581.tif 000019
【図１８】
2011016581.tif 000020
【図１９】
2011016581.tif 000021
【図２０】
2011016581.tif 000022
【図２１】
2011016581.tif 000023
【図２２】
2011016581.tif 000024
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
異なる種類の内容物を含む飲料用容器間において、一方の容器から他方の容器への内容物の流入を可能にするための飲料用容器であって、開口した口部を有する１つの容器本体を有し、この容器本体の前記口部に着脱可能に装着されるキャップと、このキャップと一体又は別体に設けられた、容器本体の内容物を他の容器に移す際に該他の容器に連結されるジョイント部材とを、前記容器本体に付設された状態で備え、前記ジョイント部材は、他の容器への連通路に設けられた仕切り層と、前記容器本体に充填された飲料を他の容器に移す際にこの仕切り層を開口させるための連通手段とを有していることを特徴とする飲料用容器。
【請求項２】
前記ジョイント部材は、前記キャップと一体に設けられており、前記キャップは、前記容器本体の口部に着脱可能に連結する第１連結手段を一端に有すると共に、他の容器の口部に着脱可能に連結する第２連結手段を他端に有しており、前記第１連結手段と前記第２連結手段との間に前記仕切り層が設けられていて、この仕切り層に、前記連通手段が設けられていることを特徴とする請求項１に記載の飲料用容器。
【請求項３】
前記容器本体の口部に前記第１連結手段を介して前記キャップの一端が装着され、前記キャップの他端に前記第２連結手段を介して前記他の容器の口部が装着された状態で、前記連通手段により前記仕切り層を開口できるように構成されている請求項２に記載の飲料用容器。
【請求項４】
前記キャップは、前記第１連結手段を有する第１キャップと、前記第２連結手段を有する第２キャップとを有し、前記第１キャップと前記第２キャップとが、破断可能な１以上の部位での結合、環状溝と環状突部とによる嵌合、及び螺合から選ばれた少なくとも1種によって連結されている請求項２又は３記載の飲料用容器。
【請求項５】
前記連通手段は、前記部位での結合が用いられている場合は該部位を破断して、前記第１キャップと前記第２キャップとを相対回動させることにより、前記仕切り層が開口するように構成されている請求項４記載の飲料用容器。
【請求項６】
前記連通手段は、前記部位での結合が用いられている場合は該部位を破断して、前記第１キャップと前記第２キャップとを相対回動させることにより、開口するための操作部が前記キャップの外部に突出するように構成されている請求項４記載の飲料用容器。
【請求項７】
前記連通手段は、前記仕切り層の開口を前記第２連結手段側で塞ぐように剥離可能に固着されたシール材からなり、このシール材の固着されていない端部が前記キャップの外周に設けた開口から突出可能とされており、この端部を引っ張ることにより、前記シール材が剥がれて前記開口が開くように構成されている請求項３、４又は６に記載の飲料用容器。
【請求項８】
前記連通手段は、前記仕切り層に形成された破断可能な囲い線と、この囲い線で囲まれた部分の前記第２連結手段側に連結されたレバー片とからなり、このレバー片が、前記キャップの外周に設けた開口から突出可能とされており、このレバー片を引っ張ることにより、前記囲い線の部分が破断されて前記仕切り層が開口されるように構成されている請求項３、４又は６記載の飲料用容器。
【請求項９】
前記連通手段は、前記仕切り層に設けた開口部と、前記仕切り層の前記第２連結手段側に接して配置され、一端が前記開口部を開閉可能に塞ぎ、他端が前記キャップの外周に設けたスリットから突出可能とされたオール状部材と、前記オール状部材をスライド可能に保持するガイド部とからなり、前記オール状部材の他端を引っ張ることにより、前記開口部が開口するように構成されている請求項３、４又は６に記載の飲料用容器。
【請求項１０】
前記キャップは、前記第１連結手段が設けられた第１キャップと、前記第２連結手段が設けられた第２キャップとからなり、前記第１キャップと前記第２キャップとは、破断可能な１以上の部位を介して連結されると共に、該部位を破断することによって前記第２キャップの先端が前記第１キャップの内側に挿入可能に構成されており、前記第１キャップの内部には仕切り層が設けられ、
前記連通手段は、前記仕切り層に設けられた開口部と、この開口部を閉じるシール材と、前記第２キャップの先端部に設けられ、前記第２キャップの先端が前記第１キャップの内側に挿入されたとき、前記シール材を突き破って、前記第１キャップと前記第２キャップとを連通させる突起とからなる請求項３、４又は５に記載の飲料用容器。
【請求項１１】
前記キャップは、前記第１連結手段が設けられた第１キャップと、前記第２連結手段が設けられた第２キャップとからなり、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により連結されており、
前記連通手段は、前記第１キャップと前記第２キャップの一方に設けられた、開口部を有する仕切り層と、前記第１キャップと前記第２キャップの他方に設けられており、前記仕切り層に摺接して、前記仕切り層に対して回動することによって、前記開口部を閉じた状態から開口した状態にする覆い板とからなる請求項３、４又は５に記載の飲料用容器。
【請求項１２】
前記キャップは、前記第１連結手段が設けられた第１キャップと、前記第２連結手段が設けられた第２キャップとからなり、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により連結されており、
前記連通手段は、前記第１キャップに設けられた仕切り層と、前記仕切り層に形成された破断可能な囲い線と、この囲い線で囲まれた部分と前記第２キャップ内壁とを連結する連結片とからなり、
前記部位を破断して、前記第１キャップに対して前記第２キャップを回動させることにより、前記連結片が引っ張られて前記囲い線の部分が破断されて前記仕切り層が開口されるように構成されている請求項３、４又は５に記載の飲料用容器。
【請求項１３】
前記キャップは、前記第１連結手段が設けられた第１キャップと、前記第２連結手段が設けられた第２キャップとからなり、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により連結されており、
前記連通手段は、前記第１キャップに設けられた仕切り層と、前記仕切り層に形成された破断可能な囲い線と、この囲い線で囲まれた部分から突出した第１係合手段と、前記第２キャップ内壁から突出した、回動することによって前記第１係合手段と係合する第２係合手段とからなり、
前記部位を破断して、前記第１キャップに対して前記第２キャップを回動させることにより、前記第１係合手段と前記第２係合手段とが係合し、前記囲い線の部分が引っ張られて破断し、前記仕切り層が開口されるように構成されている請求項３、４又は５に記載の飲料用容器。
【請求項１４】
前記キャップは、前記第１連結手段が設けられた第１キャップと、前記第２連結手段が設けられた第２キャップとからなり、前記第１キャップに対して前記第２キャップは螺着されており、前記第１キャップは、仕切り層と、該仕切り層に形成された第１開口部とを有し、前記第２キャップは、前記第１キャップに対して締め付けたときに、前記第１開口部を塞ぐ閉塞壁と、前記第１キャップと前記第２キャップとの間の空間を、前記第２連結手段側の開口に連通させる第２開口部とを有している請求項３、４又は５に記載の飲料容器。
【請求項１５】
前記第１キャップは、前記容器本体の口部に挿入される第１筒体と、この第１筒体に形成された第１開口部とを有し、前記第２キャップは、前記第１筒体の内部に挿入される第２筒体と、この第２筒体に形成された第２開口部とを有し、前記第１キャップに対して前記第２キャップを締め付けた状態では、前記第１開口部が前記第２筒体によって閉塞され、前記第１キャップに対して前記第２キャップを緩めることにより、前記第１開口部が開口されるように構成されている請求項１４に記載の飲料用容器。
【請求項１６】
前記第１キャップは、前記容器本体の口部に挿入される第１筒体と、この第１筒体の端面に形成された第１開口部とを有し、前記第２キャップは、前記第１筒体の内部に所定の間隙を介して挿入される第２筒体と、前記第２キャップを前記第１キャップに対して締め付けることにより、前記第１筒体の第１開口部を塞ぐように前記第２筒体の先端部に形成された閉塞壁と、前記第２筒体の周壁に形成された第２開口部とを有している請求項１５記載の飲料用容器。
【請求項１７】
前記容器本体の口部は、前記他の容器の口部よりも大きな外径を有しており、前記キャップに設けられた連通手段は、前記仕切り層に形成された開口部と、この開口部の周縁から突設された筒状突起と、この筒状突起の通路を開放可能に封止する封止手段とからなり、前記筒状突起に前記第２連結手段が設けられている請求項２に記載の飲料用容器。
【請求項１８】
前記ジョイント部材は、前記キャップと別体に設けられたカップ形状の部材からなり、このカップ形状の部材の底壁が前記仕切り層をなし、前記連通手段は、前記仕切り層に形成された開口部と、この開口部の周縁から外側に突設された筒状突起と、この筒状突起の通路を開放可能に封止する封止手段とからなり、前記筒状突起に前記第２連結手段が設けられている請求項１に記載の飲料用容器。
【請求項１９】
前記カップ形状の部材の内壁若しくは外壁の少なくとも一方に、注入量の目安となる目印が形成されている請求項１７又は１８に記載の飲料用容器。
【請求項２０】
前記第１連結手段は、前記容器本体の口部に螺着される雌ネジからなる請求項１〜１７のいずれか１つに記載の飲料用容器。
【請求項２１】
前記第２連結手段は、前記他の容器の口部に螺着される雌ネジからなる請求項１〜２０のいずれか１つに記載の飲料用容器。
【請求項２２】
前記第２連結手段は、前記他の容器の口部に差し込まれる外径で形成された筒状突起からなる請求項１７〜１９のいずれか１つに記載の飲料用容器。
【請求項２３】
異なる飲料が充填された２つの飲料用容器を連結して、一方の飲料用容器に充填された飲料を他方の飲料用容器に移して混合するために用いられるジョイント部材であって、一方の飲料用容器の口部に連結する第１連結手段を一端に有すると共に、他方の飲料用容器の口部に連結する第２連結手段を他端に有しており、前記第１連結手段と前記第２連結手段との間に仕切り層が設けられていて、この仕切り層に、両方の飲料用容器の口部を連結した状態で、前記仕切り層を開口できるように構成された連通手段が設けられていることを特徴とする飲料用容器のジョイント部材。
【手続補正２】
【補正対象書類名】明細書
【補正対象項目名】００３２
【補正方法】変更
【補正の内容】
【００３２】
上記目的を達成するため、本発明の飲料用容器は、異なる種類の内容物を含む飲料用容器間において、一方の容器から他方の容器への内容物の流入を可能にするための飲料用容器であって、開口した口部を有する１つの容器本体を有し、この容器本体の前記口部に着脱可能に装着されるキャップと、このキャップと一体又は別体に設けられた、容器本体の内容物を他の容器に移す際に該他の容器に連結されるジョイント部材とを、前記容器本体に付設された状態で備え、前記ジョイント部材は、他の容器への連通路に設けられた仕切り層と、前記容器本体に充填された飲料を他の容器に移す際にこの仕切り層を開口させるための連通手段とを有していることを特徴とする。
【手続補正３】
【補正対象書類名】明細書
【補正対象項目名】００７３
【補正方法】変更
【補正の内容】
【００７３】
一方、本発明の飲料用容器のジョイント部材は、異なる飲料が充填された２つの飲料用容器を連結して、一方の飲料用容器に充填された飲料を他方の飲料用容器に移して混合するために用いられるジョイント部材であって、一方の飲料用容器の口部に連結する第１連結手段を一端に有すると共に、他方の飲料用容器の口部に連結する第２連結手段を他端に有しており、前記第１連結手段と前記第２連結手段との間に仕切り層が設けられていて、この仕切り層に、両方の飲料用容器の口部を連結した状態で、前記仕切り層を開口できるように構成された連通手段が設けられていることを特徴とする。
【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
異なる種類の内容物を含む飲料用容器間において、一方の容器から他方の容器への内容物の流入を可能にするための飲料用容器であって、
開口した口部を有する１つの容器本体と、前記容器本体の口部に連結する第１連結手段を一端に有すると共に、他の容器の口部に着脱可能に連結する第２連結手段を他端に有するキャップとを備え、
前記キャップは、前記第１連結手段を有する第１キャップと、前記第２連結手段を有する第２キャップとを有し、前記第１キャップと前記第２キャップとが、破断可能な１以上の部位で一体にされており、
前記第１キャップ及び前記第２キャップからなる前記キャップには、前記容器本体と他の容器とを連通させる連通路と、この連通路に設けられた仕切と、この仕切を開口させる連通手段とが設けられており、
前記連通手段は、前記容器本体の口部に前記第１連結手段を介して前記第１キャップが装着され、前記他の容器の口部に前記第２連結手段を介して前記第２キャップが装着された状態で、前記仕切を開口できるように構成されていることを特徴とする飲料用容器。
【請求項２】
前記連通手段は、前記破断可能な１以上の部位を破断して、前記第１キャップと前記第２キャップとを相対回動させることにより、前記仕切が開口するように構成されている請求項１記載の飲料用容器。
【請求項３】
前記連通手段は、前記破断可能な１以上の部位を破断して、前記第１キャップと前記第２キャップとを相対回動させることにより、開口するための操作部が前記キャップの外部に突出するように構成されている請求項１記載の飲料用容器。
【請求項４】
前記連通路には、開口部を有する仕切壁が設けられ、前記仕切は、前記開口部を前記第２連結手段側で塞ぐように剥離可能に固着されたシール材からなり、前記連通手段は、前記キャップの外周に設けた開口部から突出可能とされた、前記シール材の固着されていない端部からなり、この端部を引っ張ることにより、前記シール材が剥がれて前記仕切壁の開口部が開口するように構成されている請求項３記載の飲料用容器。
【請求項５】
前記仕切は、前記連通路に設けられた仕切壁からなり、前記連通手段は、前記仕切壁に形成された破断可能な囲い線と、この囲い線で囲まれた部分の前記第２連結手段側に連結されたレバー片とからなり、このレバー片が、前記キャップの外周に設けた開口部から突出可能とされており、このレバー片を引っ張ることにより、前記囲い線の部分が破断されて前記仕切壁が開口されるように構成されている請求項３記載の飲料用容器。
【請求項６】
前記連通路には、開口部を有する仕切壁が設けられ、この仕切壁には、一端が前記開口部を開閉可能に塞ぎ、他端が前記キャップの外周に設けたスリットから突出可能とされたオール状部材と、前記オール状部材をスライド可能に保持するガイド部とが設けられ、前記仕切は、前記開口部を開閉可能に塞ぐ前記オール状部材の一端からなり、前記連通手段は、該オール状部材の他端からなっていて、前記オール状部材の他端を引っ張ることにより、前記開口部が開口するように構成されている請求項３記載の飲料用容器。
【請求項７】
前記第１キャップと前記第２キャップとは、前記破断可能な１以上の部位を破断することによって前記第２キャップの先端が前記第１キャップの内側に挿入可能に構成されており、前記第１キャップの内部には開口部を有する仕切壁が設けられ、
前記仕切は、前記開口部を閉じるシール材からなり、前記連通手段は、前記第２キャップの先端部に設けられ、前記第２キャップの先端が前記第１キャップの内側に挿入されたとき、前記シール材を突き破って、前記第１キャップと前記第２キャップとを連通させる突起からなる請求項１又は２記載の飲料用容器。
【請求項８】
前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により一体にされており、
前記第１キャップと前記第２キャップの一方には、開口部を有する仕切壁が設けられ、前記第１キャップと前記第２キャップの他方には、前記仕切壁に摺接して、前記仕切壁に対して回動することによって、前記開口部を閉じた状態から開口した状態にする覆い板が設けられており、
前記仕切は、前記覆い板からなり、前記連通手段は、前記仕切壁に対して前記覆い板を回動させるための前記回動溝及び前記環状突部からなる請求項１又は２記載の飲料用容器。
【請求項９】
前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により一体にされており、
前記仕切は、前記第１キャップに設けられた仕切壁からなり、前記連通手段は、前記仕切壁に形成された破断可能な囲い線と、この囲い線で囲まれた部分と前記第２キャップ内壁とを連結する連結片とからなり、
前記部位を破断して、前記第１キャップに対して前記第２キャップを回動させることにより、前記連結片が引っ張られて前記囲い線の部分が破断されて前記仕切壁が開口されるように構成されている請求項１又は２記載の飲料用容器。
【請求項１０】
前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により一体にされており、
前記仕切は、前記第１キャップに設けられた仕切壁からなり、前記連通手段は、前記仕切壁に形成された破断可能な囲い線と、この囲い線で囲まれた部分から突出した第１係合手段と、前記第２キャップ内壁から突出した、回動することによって前記第１係合手段と係合する第２係合手段とからなり、
前記部位を破断して、前記第１キャップに対して前記第２キャップを回動させることにより、前記第１係合手段と前記第２係合手段とが係合し、前記囲い線の部分が引っ張られて破断し、前記仕切壁が開口されるように構成されている請求項１又は２記載の飲料用容器。
【請求項１１】
前記第１キャップに対して前記第２キャップは螺着されており、前記第１キャップは、仕切壁と、該仕切壁に形成された第１開口部とを有し、前記第２キャップは、前記第１キャップに対して締め付けたときに、前記第１開口部を塞ぐ閉塞壁と、前記第１キャップと前記第２キャップとの間の空間を、前記第２連結手段側の開口に連通させる第２開口部とを有しており、前記仕切は、前記仕切壁と前記閉塞壁とからなり、前記連通手段は、前記第２キャップを第１キャップに対して緩めることが可能な前記螺着部からなる請求項１又は２記載の飲料容器。
【請求項１２】
前記第１キャップは、前記容器本体の口部に挿入される第１筒体と、この第１筒体に形成された第１開口部とを有し、前記第２キャップは、前記第１筒体の内部に挿入される第２筒体と、この第２筒体に形成された第２開口部とを有し、前記第１キャップに対して前記第２キャップを締め付けた状態では、前記第１開口部が前記第２筒体によって閉塞され、前記第１キャップに対して前記第２キャップを緩めることにより、前記第１開口部が開口されるように構成されている請求項１１記載の飲料用容器。
【請求項１３】
前記第１キャップは、前記容器本体の口部に挿入される第１筒体と、この第１筒体の端面に形成された第１開口部とを有し、前記第２キャップは、前記第１筒体の内部に所定の間隙を介して挿入される第２筒体と、前記第２キャップを前記第１キャップに対して締め付けることにより、前記第１筒体の第１開口部を塞ぐように前記第２筒体の先端部に形成された閉塞壁と、前記第２筒体の周壁に形成された第２開口部とを有している請求項１２記載の飲料用容器。
【請求項１４】
前記第１連結手段は、前記容器本体の口部に螺着される雌ネジからなる請求項１〜１３のいずれか１つに記載の飲料用容器。
【請求項１５】
前記第２連結手段は、前記他の容器の口部に螺着される雌ネジからなる請求項１〜１４のいずれか１つに記載の飲料用容器。
【手続補正２】
【補正対象書類名】明細書
【補正対象項目名】全文
【補正方法】変更
【補正の内容】
【発明の詳細な説明】
【技術分野】
【０００１】
本発明は、ペットボトル等の飲料用容器であって、複数の容器間で内容物を容易かつ確実に混ぜ合わせることができるようにした飲料用容器に関する。
【背景技術】
【０００２】
今日は、日本茶、ウーロン茶、清涼飲料といったノンアルコール飲料を５００ｍｌ程度のペットボトルを水筒代わりに携帯し、喉が渇いたら適宜開栓して飲むことが一般化している。その際、ペットボトルの内容物をコップに移して飲むのではなく、開栓したペットボトルの口金部に直接口をつけて飲む。
【０００３】
焼酎、ウィスキー、日本酒、ウォッカ、ジンといったアルコール飲料は、１Lを超える分量の場合、ペットボトル、ガラス瓶、紙パックといった各種容器に入れて販売され、飲むに際してはこれらの容器から別のコップに移し変えて飲むことが一般的である。一方、１人飲みを想定した２００ｍｌ程度の分量の場合は、ペットボトルや紙容器入れた商品で販売され、これらの商品は、通常、個々の容器の口金部に直接口をつけて飲む。
【０００４】
ところで、焼酎、ウォッカ、ジン、ウィスキーといったアルコールの場合、それ単独で飲む場合と、他の飲料と割って飲む場合がある。たとえば、焼酎を例にとるならば、水（湯）、日本茶、ウーロン茶、コーラ、レモン・梅・ライム・オレンジ等のジュース類といった具合に、飲む者の好みにより多くのバリエーションが存在する。そして、消費者の好みに対応すべく、アルコール飲料各社は、焼酎を他の飲み物で割った商品ラインアップを、多くの場合、缶入り容器にて取り揃えている。
【０００５】
上記の如く、一人用分量のペットボトル、缶入り飲料の場合、ノンアルコールもアルコールも直接容器から飲むことが想定されているため、これらを混ぜて飲む場合、別のコップに移し変えて飲まざるを得ない。また、無理やり容器間で移し変えて混ぜ合わせようとした場合、口金部分は非常に細かったり狭かったりするため、流し込む際にこぼれてしまうといった問題点があった。
【０００６】
また、アルコール割り商品の購入を希望する消費者は、メーカーが市場に出している既存のラインアップ商品の中から選ぶことになるが、消費者にしてみれば、ラインアップ商品以外でも割りたい飲料商品が存在することもあれば、またアルコール濃度についても好みが異なるといった事情が存在する。
【０００７】
一方、メーカー側にとっては、割る商品の種類やアルコール濃度についての消費者の好みに極力応じるためには、商品ラインアップを拡大させる必要があるが、それは、製造、卸し、販売といった各工程での管理コストのアップに繋がる。そのため、メーカーにしてみれば、１人飲み分量のアルコール商品と１人飲み分量のノンアルコール商品とを、混ぜ合わせがし易い態様で販売し、何で割るかといった組み合わせやアルコール濃度の嗜好については、消費者に任せることができれば好都合である。
【０００８】
このようにペットボトルのような飲料用容器では、そもそも容器同士で他の飲料と混合させるということを想定していないため、他の飲料と混合可能とした飲料用容器についての従来技術は存在しない。
【０００９】
一方、シャンプーや洗剤の詰め替え容器、薬液、化粧品の混合容器、複写機用トナーボトルへの詰め替え用トナーパックといった分野では、複数の容器間で内容物を詰め替えたり、混ぜ合わせたりといった機能を有する製品が従来から存在する。
【００１０】
その一つめとして、特許文献１（特開２０００−１５９２４９号公報、発明の名称「詰め替えキャップ」）に記載されたものが知られている。
【００１１】
この詰め替えキャップは、キャップ本体の下部に、詰め替え元となる容器の口部に螺合する下部スクリューねじを形成し、キャップ本体の上部に、詰め替え先となる容器の口部に螺合する上部スクリューねじを形成し、これらの中間にプルトップ付きの仕切り膜を設けて構成されている。そして、詰め替えの際は、プルトップを引いて仕切り膜を開放したのち、上部スクリューねじに、逆さにした詰め替え先となる容器の口を螺合し、その上で、両容器を一体に逆さにして詰め替え元となる容器を上にすることで、詰め替え元の容器の内容物を、詰め替え先の容器内に流下させる、というものである。
【００１２】
二つめとして、特許文献２（特開２００９−５１７２９３号公報、発明の名称「ドロッパーネックを受けブッシング、対応パッケージ、及び対応キット」）に記載されたものが知られている。
【００１３】
この発明の構成は、２つの密封したボトルのうち、一方のボトルには粉末乾燥状の第１の活性生成物、他方のボトルには、溶液または懸濁液よりなる第２の生成物が収容され、双方のボトル口部を、内部スレッド、内部ショルダーを備えたブッシング、ストッパー、ドロッパー等の分離可能な複数部材から構成されるジョイント部材を介して相互に結合し、ストッパー上の保護膜をドロッパー先端部が穿入し連通させることで、内容物を混合させるものである。
【００１４】
三つめとして、特許文献３（実開昭６３−８２７３５号公報、考案の名称「組立て可能な容器ユニット」）に記載されたものが知られている。
【００１５】
この容器ユニットは、異なる物質を収容した二つの容器間において、一方の容器は、口部を覆うシール部材により密封され、他方の容器には口部に先端の尖った栓若しくは先端を尖らせた口部を備えている。両容器は、双方の容器が密封用連結部材を介して螺合結合され、一方の容器の口部を覆っているシール部材を他方の容器の先端の尖った栓または口部により破ることで連通させる、というものである。
【００１６】
四つめとして、特許文献４（特開２００３−２８４７６１号公報、発明の名称「薬液キット」）に記載されたものが知られている。
【００１７】
この薬液キットは、溶解用液を充填した溶解用容器と、薬剤を充填した薬剤容器およびこれらをつなぐ結合手段よりなる。そしてこの結合手段は、溶解用容器結合部、薬剤容器収納部および通液を可能とするコネクター部よりなり、溶解用容器結合部と薬剤容器収納部を引き離すことにより、コネクター間の通液間が開通し、容器間の溶液を混合させるものである。
【００１８】
五つめとして、特許文献５（特開２００６−２３５０４６号公報、発明の名称「トナーボトル及びこれらを備えた画像形成装置並びにトナーパック及びトナー補給装置」）に記載されたものが知られている。
【００１９】
この発明では、画像形成装置に着脱自在に装着されて現像器にトナーを供給するトナーボトル等に関するものである。このトナーボトルにはトナーを収容するトナーパックの排出部に密閉状態で螺子止め結合可能な受入部を有している。また、トナーボトルとトナーパックとを結合した状態で、トナーの通過孔を開閉操作可能とするものである。
【先行技術文献】
【特許文献】
【００２０】
【特許文献１】特開２０００−１５９２４９号公報（図１、図４）
【特許文献２】特開２００９−５１７２９３号公報（図１〜図４）
【特許文献３】実開昭６３−８２７３５号公報（図１〜図３）
【特許文献４】特開２００３−２８４７６１号公報（図１〜図３）
【特許文献５】特開２００６−２３５０４６号公報（図３〜図９）
【発明の概要】
【発明が解決しようとする課題】
【００２１】
このように特許文献１から特許文献５に示された先行技術は、二つの容器口部を結合し、仕切り部を破断するものであるが、各飲料メーカーから販売され、消費者が独自に購入し単独で飲まれることを想定したメーカーが異なる飲料用ボトル間の内容物を混合させるものはなかった。
【００２２】
このため、各先行技術文献の技術をそのまま飲料容器に適用した場合は、それぞれ以下のような課題を解決する必要があった。
【００２３】
特許文献１に示される詰め替えキャップの構造では、詰め替え容器のプルトップを予め開栓し、空の状態の詰め替え先となる容器の口を上部スクリューねじに螺合し、その状態で両容器を逆さにして、詰め替え元の容器の内容物を、詰め替え先の容器内に流下させるようにしている。
【００２４】
しかしながら、異なる容器に充填された飲料どうしを混ぜる用途に用いる場合には、詰め替え先の容器にも既に飲料が充填されているので、詰め替え先の容器の内容物をこぼさずに上部スクリューねじに螺合させることはできないという問題があった。
【００２５】
つづいて特許文献２に示されるブッシングは、容器のキャップとは別体の複数の構成部材が必要なため、これを飲料用品に応用した場合は、消費者は常に当該ブッシング部材を携帯する必要がある。また、ブッシングのドロッパー先端は開口状態となっているため、飲料容器の場合、ブッシングを装着したボトルを逆さにした時点で溶液がこぼれるといった問題があった。
【００２６】
また、特許文献３に示される容器ユニットは、一方の容器口部に口部を覆うシール部材が備わっており、他方の容器口部には先端が尖った栓または口部自体が尖っている必要がある。
【００２７】
このように、それぞれの容器において開口・被開口するための独特の構造を予め備えておく必要のある特許文献３は、そもそも個別に口部から直接飲むことを想定している飲料容器に適用することはできなかった。
【００２８】
さらに特許文献４で示される薬液ユニットは、一方の容器の口部に薬剤容器収納部、コネクター部および溶解用容器結合部が当初から固着されているため、口部から直接飲むことを想定した飲料容器に適用することはできないといった問題があった。
【００２９】
最後に、特許文献５で示されるトナーボトル等は、一方の容器が可撓性を有するシート材で形成された袋体よりなるトナーパックであるため折り曲げて口部を連結でき、可撓性のない飲料ボトルにそのまま適用することはできないといった問題があった。また、特許文献５は、粉体を対象にしており、飲料のような流体を対象にした場合に、その構造を適用できるかどうかはわからなかった。
【００３０】
さらに、特許文献５で示される別の実施例のトナーボトル等は、受入れ容器側のトナーボトルが口部キャップの他、カバー端部で分離できるようにするとともに、トナーパック側に当該トナーボトルのカバー端部に適合する装着部材を備えておくことが必要であった。このため、特許文献３と同様、移し替えのためには、開口・被開口するための独特の構造を双方の容器において備えておく必要があるといった問題点があった。
【００３１】
この発明は上記問題点を解決するためになされたものであり、その目的は、異なる種類の内容物を含む飲料用容器間において、一方の容器から他方の容器への内容物の流入を容易かつ確実に行える飲料用容器を提供することにある。
【課題を解決するための手段】
【００３２】
上記目的を達成するため、本発明の飲料用容器は、異なる種類の内容物を含む飲料用容器間において、一方の容器から他方の容器への内容物の流入を可能にするための飲料用容器であって、開口した口部を有する１つの容器本体と、前記容器本体の口部に連結する第１連結手段を一端に有すると共に、他の容器の口部に着脱可能に連結する第２連結手段を他端に有するキャップとを備え、前記キャップは、前記第１連結手段を有する第１キャップと、前記第２連結手段を有する第２キャップとを有し、前記第１キャップと前記第２キャップとが、破断可能な１以上の部位で一体にされており、前記第１キャップ及び前記第２キャップからなる前記キャップには、前記容器本体と他の容器とを連通させる連通路と、この連通路に設けられた仕切と、この仕切を開口させる連通手段とが設けられており、前記連通手段は、前記容器本体の口部に前記第１連結手段を介して前記第１キャップが装着され、前記他の容器の口部に前記第２連結手段を介して前記第２キャップが装着された状態で、前記仕切を開口できるように構成されていることを特徴とする。
【００３３】
本発明によれば、第１キャップの第１連結手段に容器本体の口部を連結し、第２キャップの第２連結手段に他の容器の口部を連結して、その状態で連通手段によって仕切を開口させることにより、容器本体の飲料を他の容器内に充填することができる。
【００３４】
また、容器本体のキャップを用いて、他の容器への飲料の注入が可能となるので、部品点数を少なくすることができる。
【００３５】
また、容器本体の口部に第１連結手段を介して第１キャップが装着された状態で、仕切が閉じているので、容器本体を逆さにして、他の容器の口部に第２連結手段を介して第２キャップを連結することができる。そして、容器本体が上方に位置する状態で、連通手段により仕切を開口することにより、容器本体の飲料を他の容器に充填することができる。なお、この場合、上記と逆に他の容器の飲料を容器本体に充填することもできる。
【００３６】
更に、キャップを第１キャップと第２キャップとで構成することにより、仕切や連通手段を形成しやすくすることができる。なお、上記における破断可能な１以上の部位は、例えば溶着部、接着部、射出成形時の肉薄連結部などで構成することができ、特にミシン目溶着などの複数の溶着部で構成することが好ましい。以下の態様においても同様である。
【００３７】
本発明において、前記連通手段は、前記破断可能な１以上の部位を破断して、前記第１キャップと前記第２キャップとを相対回動させることにより、前記仕切が開口するように構成されていることが好ましい。
【００３８】
上記態様によれば、第１キャップと第２キャップとを相対回動させることにより、仕切が開口するように構成されているので、第１キャップ及び第２キャップを介してそれぞれの容器を連結し、第１キャップと第２キャップとを相対回動させることにより、仕切を連通させることができるので、作業性が良好となる。
【００３９】
また、本発明の別の態様として、前記連通手段は、前記破断可能な１以上の部位を破断して、前記第１キャップと前記第２キャップとを相対回動させることにより、開口するための操作部が前記キャップの外部に突出するように構成されていることが好ましい。
【００４０】
上記態様によれば、第１キャップと第２キャップとを相対回動させるまでは、操作部が外部に露出しないので、購入者が誤って開封したり、イタズラで開封するといった危険を防ぐことができる。
【００４１】
本発明の１つの態様として、前記連通路には、開口部を有する仕切壁が設けられ、前記仕切は、前記開口部を前記第２連結手段側で塞ぐように剥離可能に固着されたシール材からなり、前記連通手段は、前記キャップの外周に設けた開口部から突出可能とされた、前記シール材の固着されていない端部からなり、この端部を引っ張ることにより、前記シール材が剥がれて前記仕切壁の開口部が開くように構成されていることが好ましい。
【００４２】
この態様によれば、２つの容器を連結した状態で、シール材の端部を引っ張ることにより、仕切を開口させることができる。
【００４３】
また、別の態様として、前記仕切は、前記連通路に設けられた仕切壁からなり、前記連通手段は、前記仕切壁に形成された破断可能な囲い線と、この囲い線で囲まれた部分の前記第２連結手段側に連結されたレバー片とからなり、このレバー片が、前記キャップの外周に設けた開口部から突出可能とされており、このレバー片を引っ張ることにより、前記囲い線の部分が破断されて前記仕切壁が開口されるように構成されていることが好ましい。
【００４４】
この態様によれば、２つの容器を連結した状態で、レバー片を引っ張ることにより、仕切を開口させることができる。
【００４５】
更に別の態様として、前記連通路には、開口部を有する仕切壁が設けられ、この仕切壁には、一端が前記開口部を開閉可能に塞ぎ、他端が前記キャップの外周に設けたスリットから突出可能とされたオール状部材と、前記オール状部材をスライド可能に保持するガイド部とが設けられ、前記仕切は、前記開口部を開閉可能に塞ぐ前記オール状部材の一端からなり、前記連通手段は、該オール状部材の他端からなっていて、前記オール状部材の他端を引っ張ることにより、前記開口部が開口するように構成されていることが好ましい。
【００４６】
この態様によれば、２つの容器を連結した状態で、オール状部材の他端を引っ張ることにより、仕切を開口させることができる。
【００４７】
更に別の態様として、前記第１キャップと前記第２キャップとは、前記破断可能な１以上の部位を破断することによって前記第２キャップの先端が前記第１キャップの内側に挿入可能に構成されており、前記第１キャップの内部には開口部を有する仕切壁が設けられ、前記仕切は、前記開口部を閉じるシール材からなり、前記連通手段は、前記第２キャップの先端部に設けられ、前記第２キャップの先端が前記第１キャップの内側に挿入されたとき、前記シール材を突き破って、前記第１キャップと前記第２キャップとを連通させる突起からなることが好ましい。
【００４８】
この態様によれば、第１キャップを第２キャップに対して回転させるなどの方法で前記部位を破断し、第２キャップの先端を第１キャップの内側に挿入し、第２キャップの先端の突起でシール材を突き破ることにより、仕切を開口させることができる。
【００４９】
更に別の態様として、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により一体にされており、前記第１キャップと前記第２キャップの一方には、開口部を有する仕切壁が設けられ、前記第１キャップと前記第２キャップの他方には、前記仕切壁に摺接して、前記仕切壁に対して回動することによって、前記開口部を閉じた状態から開口した状態にする覆い板が設けられており、前記仕切は、前記覆い板からなり、前記連通手段は、前記仕切壁に対して前記覆い板を回動させるための前記回動溝及び前記環状突部からなることが好ましい。
【００５０】
この態様によれば、第１キャップを第２キャップに対して回転させるなどの方法で前記部位を破断して、第１キャップを第２キャップに対して相対回転させることにより、仕切壁に対して覆い板を回動させて、仕切を開口させることができる。
【００５１】
更に別の態様として、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により一体にされており、前記仕切は、前記第１キャップに設けられた仕切壁からなり、前記連通手段は、前記仕切壁に形成された破断可能な囲い線と、この囲い線で囲まれた部分と前記第２キャップ内壁とを連結する連結片とからなり、前記部位を破断して、前記第１キャップに対して前記第２キャップを回動させることにより、前記連結片が引っ張られて前記囲い線の部分が破断されて前記仕切壁が開口されるように構成されていることが好ましい。
【００５２】
この態様によれば、前記部位を破断して、第１キャップに対して第２キャップを回動させることにより、連結片を介して囲い線の部分を破断して仕切を開口させることができる。
【００５３】
更に別の態様として、前記第１キャップと前記第２キャップとは、一方の内周又は外周に回動溝が形成され、他方の外周又は内周に前記回動溝に嵌合する環状突部が形成されて、前記回動溝に前記環状突部が嵌合すると共に、その状態で外周どうしを、破断可能な１以上の部位により一体にされており、前記仕切は、前記第１キャップに設けられた仕切壁からなり、前記連通手段は、前記仕切壁に形成された破断可能な囲い線と、この囲い線で囲まれた部分から突出した第１係合手段と、前記第２キャップ内壁から突出した、回動することによって前記第１係合手段と係合する第２係合手段とからなり、前記部位を破断して、前記第１キャップに対して前記第２キャップを回動させることにより、前記第１係合手段と前記第２係合手段とが係合し、前記囲い線の部分が引っ張られて破断し、前記仕切壁が開口されるように構成されていることが好ましい。
【００５４】
この態様によれば、前記部位を破断して、第１キャップに対して第２キャップを回動させることにより、前記第１係合手段と前記第２係合手段とが係合し、前記囲い線の部分が引っ張られて破断し、仕切を開口させることができる。また、第１キャップと第２キャップとを分離して形成できるので、成形が容易となる。
【００５５】
更に別の態様として、前記第１キャップに対して前記第２キャップは螺着されており、前記第１キャップは、仕切壁と、該仕切壁に形成された第１開口部とを有し、前記第２キャップは、前記第１キャップに対して締め付けたときに、前記第１開口部を塞ぐ閉塞壁と、前記第１キャップと前記第２キャップとの間の空間を、前記第２連結手段側の開口に連通させる第２開口部とを有しており、前記仕切は、前記仕切壁と前記閉塞壁とからなり、前記連通手段は、前記第２キャップを第１キャップに対して緩めることが可能な前記螺着部からなることが好ましい。
【００５６】
この態様によれば、第１キャップに対して第２キャップを締め付けることにより、第１キャップの仕切壁に形成された第１開口部が閉塞されて、封止することができると共に、第１キャップに対して第２キャップを緩めることにより、上記第１開口部が開口して第２キャップの第２開口部を通して、第２連結手段に連結された他の容器側へ、容器本体内の飲料を流出させることが可能となる。
【００５７】
上記態様における更に好ましい態様として、前記第１キャップは、前記容器本体の口部に挿入される第１筒体と、この第１筒体に形成された第１開口部とを有し、前記第２キャップは、前記第１筒体の内部に挿入される第２筒体と、この第２筒体に形成された第２開口部とを有し、前記第１キャップに対して前記第２キャップを締め付けた状態では、前記第１開口部が前記第２筒体によって閉塞され、前記第１キャップに対して前記第２キャップを緩めることにより、前記第１開口部が開口されるように構成されていることが好ましい。
【００５８】
この態様によれば、第１キャップに対して第２キャップを締め付けた状態では、第１開口部が第２筒体によって閉塞されるので容器本体を封止することができ、第１キャップに対して第２キャップを緩めることにより、第１開口部が開口されるので、第２キャップの第２開口部を通して、第２連結手段に連結された他の容器側へ、容器本体内の飲料を流出させることが可能となる。
【００５９】
上記態様における更に好ましい態様として、前記第１キャップは、前記容器本体の口部に挿入される第１筒体と、この第１筒体の端面に形成された第１開口部とを有し、前記第２キャップは、前記第１筒体の内部に所定の間隙を介して挿入される第２筒体と、前記第２キャップを前記第１キャップに対して締め付けることにより、前記第１筒体の第１開口部を塞ぐように前記第２筒体の先端部に形成された閉塞壁と、前記第２筒体の周壁に形成された第２開口部とを有していることが好ましい。
【００６０】
この態様によれば、第２キャップを第１キャップに対して締め付けることにより、第２筒体の先端部に形成された閉塞壁を第１筒体の第１開口部周縁に突き当てて第１開口部を塞ぐことができる。また、前記第２キャップを前記第１キャップに対して緩めることにより、第１筒体の第１開口部から第２筒体の閉塞壁が離れて第１開口部が開口するので、容器本体の飲料は、第１開口部を通り、第１筒体と第２筒体との間隙を通り、更に第２開口部を通って、第２キャップに連結された他の容器に注入させることができる。
【００６１】
本発明において、前記第１連結手段は、前記容器本体の口部に螺着される雌ネジからなることが好ましい。
【００６２】
また、前記第２連結手段は、前記他の容器の口部に螺着される雌ネジからなることが好ましい。
【発明の効果】
【００６３】
本発明によれば、消費者は、異なる飲料用容器間で好みに応じて内容物を混ぜ合わせることができるため、いろいろなバリエーションの飲み物を所望する濃さで楽しむことができる。また、メーカーにとっては、新たな需要創造と消費者の広いニーズへの対応、更には、消費者に混ぜ合わせを任せることで、商品ラインアップを多品種少量生産から少品種大量生産に切り替えられ、製造、卸し、販売における管理コストの低減が図れるといったメリットがある。
【００６４】
また、例えば一般的なアルコール割り商品は缶入りのため、歩きながらの飲む場合、歩く振動でこぼれてしまい、電車内でも列車の揺れや振動で倒れたり、また、降車する前には飲み終えなければならないといった不便があったが、本発明によれば、歩行中や、電車内などでも、飲みたい時に容器を開栓して、飲みたい量を小分けして飲めるといったメリットが得られる。
【図面の簡単な説明】
【００６５】
【図１】本発明の第１参考例の飲料用容器を示す斜視図である。
【図２】同第１参考例において、他の飲料用容器を接続した状態を示す説明図である。
【図３】本発明の第２参考例の飲料用容器の仕切と連通手段の説明図であって、（A）は平面断面図、（B）は部分側面断面図である。
【図４】本発明の第３参考例の飲料用容器の仕切と連通手段の説明図であって、（A）は平面断面図、（B）は部分側面断面図である。
【図５】本発明の第４参考例の飲料用容器の仕切と連通手段の説明図であって、（A）は平面断面図、（B）は部分側面断面図である。
【図６】本発明の第５参考例の飲料用容器のキャップに形成される第１連結手段及び第２連結手段を示す部分側面断面図である。
【図７】本発明の第６参考例の飲料用容器のキャップに形成される第１連結手段及び第２連結手段を示し、（A）は部分側面断面図、（B）は平面図である。
【図８】本発明の第１実施例の飲料用容器の仕切と連通手段の説明図であって、（A）は他の容器を連結する前の部分側面断面図、（B）は容器本体の上方から見た平面図、（C）は他の容器を連結して仕切を開口させた状態の部分側面断面図である。
【図９】本発明の第２実施例の飲料用容器の仕切と連通手段の説明図であって、（A）は他の容器を連結する前の部分側面断面図、（B）はキャップの分解斜視図、（C）は容器本体を逆さにして見たキャップ部の斜視図である。
【図１０】本発明の飲料用容器において、キャップに設けるカバー部材の例を示す説明図である。
【図１１】本発明の第３実施例の飲料用容器の仕切と連通手段の説明図であって、（A）は仕切の開口前の部分側面断面図、（B）は仕切の開口後の部分側面断面図である。
【図１２】同第３実施例における飲料用容器の仕切と連通手段の説明図であって、（A）は仕切の開口前のキャップを切り欠いて示す斜視図、（B）は仕切の開口後のキャップを切り欠いて示す斜視図である。
【図１３】本発明の第４実施例の飲料用容器のキャップ近傍を示す、仕切が閉じた状態の部分断面図である。
【図１４】同第４実施例の飲料用容器に他の容器を接続し、仕切を開いた状態にした部分断面図である。
【図１５】本発明の第６参考例の飲料用容器を示し、（A）は側面断面図、（B）は他の容器に容器本体の飲料を注ぐ状態の側面断面図である。
【図１６】本発明の第７参考例の飲料用容器を示す断面図である。
【図１７】同第７参考例の飲料用容器に付属されたカップに他の容器の飲料を注入する状態を示す斜視図である。
【図１８】同第７参考例の飲料用容器に付属されたカップを他の容器に連結し、容器本体の飲料を他の容器に注入する状態を示す斜視図である。
【図１９】前記第１参考例の飲料用容器を改良した第５実施例の飲料用容器のキャップ部を示し、（A）は溶着部破断前の側面断面図、（B）は溶着部を破断して第１キャップと第２キャップとを相対回転させた状態の側面断面図である。
【図２０】前記第２参考例の飲料用容器を改良した第６実施例の飲料用容器のキャップ部を示し、（A）は溶着部破断前の側面断面図、（B）は溶着部を破断して第１キャップと第２キャップとを相対回転させた状態の側面断面図である。
【図２１】前記第４参考例の飲料用容器を改良した第７実施例の飲料用容器のキャップ部を示し、（A）は溶着部破断前の平面断面図、（B）は溶着部破断前の側面断面図、（C）は溶着部を破断して第１キャップと第２キャップとを相対回転させた状態の側面断面図である。
【図２２】前記第３実施例の飲料用容器を改良した第８実施例の飲料用容器のキャップ部を示し、（A）は溶着部破断前の側面断面図、（B）は上記（A）のB−B矢示線に沿った断面図である。
【発明を実施するための最良の形態】
【００６６】
図１、２には、本発明の第１参考例の飲料用容器が示されている。図１に示すように、この飲料用容器１は容器本体２と、キャップ３とで構成されている。飲料用容器１に充填する飲料は、特に限定されないが、この実施形態では、焼酎等のアルコール飲料が所定量充填されている。容器本体２は、適当な合成樹脂、好ましくはポリエチレンテレフタレート製の容器（ペットボトル）からなり、キャップ３は、例えばポリプロピレン等の合成樹脂からなっている。
【００６７】
キャップ３は、その一端３ａの内周に、容器本体２の口部２ａに螺着される図示しない雌ネジ部が形成され、この雌ネジ部が本発明における第１連結手段を構成している。また、キャップ３の他端３ｂの内周には、他の容器１０（図２参照）の容器本体１１の口部１１ａに螺着可能な雌ネジ部４ｂが形成され、この雌ネジ部４ｂが本発明における第２の連結手段を構成している。
【００６８】
キャップ３の軸方向中間部には、仕切壁５が形成されている。仕切壁５には、開口部６が形成されている。そして、仕切壁５の開口部６を封止するように、シール片７の一端部が剥離可能に溶着、接着等の手段で固着されており、シール片７の他端部はキャップ３の周壁の一部に形成されたスリット８を介して、外部に挿出されている。上記シール片の一端部が本発明における仕切を構成し、上記シール片の他端部が本発明における連通手段を構成している。そして、シール片７の他端部を図１の矢印で示すように引っ張ることにより、シール片７を開口部６から引き剥がして開口部６を開口できるようになっている。上記開口部６とシール片７とが、本発明における連通手段を構成している。
【００６９】
図２に示すように、この飲料用容器１は、お茶、ジュース等の他の飲料が充填された他の容器１０に連結されて、容器本体２に充填された焼酎等のアルコール飲料を注入できるようになっている。すなわち、他の容器１０の飲料がある程度消費されて、内部に所定量の空間が存在する状態で、飲料用容器１を逆さにし、他の容器１０の容器本体１１の口部１１ａに、飲料用容器１のキャップ３のネジ部４を螺合させて、両容器本体２，１１を連結する。この場合、飲料用容器１のアルコール飲料もある程度消費して、内容量を減らしておいてもよい。
【００７０】
そして、両容器本体２，１１が連結され、飲料用容器１が逆さに支持された状態で、シール片７の他端部を引っ張ることにより、仕切壁５の開口部６を開口させ、飲料用容器１の容器本体２に充填されたアルコール飲料を、お茶、ジュース等の他の飲料が充填された他の容器１０に注入することができる。
【００７１】
その後、他の容器１０の容器本体１１からキャップ３を取外し、他の容器１０のキャップ１２で蓋をして、他の容器１０を数回振ることにより、両容器に充填された飲料を混ぜ合わせ、他の容器１０のキャップ１２を開いて、混合した飲料を飲むことができる。
【００７２】
この飲料用容器１によれば、例えば散歩などの運動時には、他の容器１０に充填されたお茶、ジュース等の飲料を飲み、運動が終わった後、あるいは運動の途中で、本発明に係る飲料用容器１を連結し、飲料用容器１内の焼酎等のアルコール飲料を注入して混合することにより、お茶、ジュース等の飲料で薄められたアルコール飲料を飲むことができる。
【００７３】
図３には、本発明の第２参考例の飲料用容器が示されている。飲料用容器１の基本的構成については、図１で説明したものと同じであり、第１参考例との違いは、キャップ３とそれに設けられた連通手段の構成である。図３に示すように、キャップ３の仕切壁５には、３方向が破断可能な薄肉部よりなる囲い線２１で囲まれた舌片２２を備えている。前記舌片２２の一部には、プラスチックで一体成形されたプルトップレバー２３（本発明におけるレバー片を構成する）の一端が形成されている。プルトップレバー２３の他端は中空リング２４がキャップ３の外側に突出するように形成されている。
【００７４】
したがって、飲料用容器１を逆さにして他の容器１０に連結した後（図２参照）、プルトップレバー２３を横方向に引っ張ることにより、薄肉部よりなる囲い線２１に沿って仕切り壁５の一部をなす舌片２２が破断されてめくれ、仕切り壁５が開口して、飲料用容器１と他の容器１０が、上記開口を介して上下に連通し、飲料用容器１の飲料（例えばアルコール飲料）が、他の容器１０に充填されて、他の容器１０の飲料と混合することができる。なお、プルトップレバー２３を引っ張ったとき、舌片２２の引き剥がしは、囲い線２３がない部分で止まり、めくれた舌片２２の裏面が、飲料用容器１から他の容器１０容器へ流入する内容物の外部への流出を防ぐガード壁として機能する。
【００７５】
この第２参考例では、仕切壁５が本発明における仕切を構成し、囲い線２１で囲まれた舌片２２及びプルトップレバー２３が本発明における連通手段を構成している。
【００７６】
図４には、本発明の第３参考例の飲料用容器が示されている。飲料用容器１の構成については、図１で説明したものと同じであり、第１参考例との違いは、キャップ３とそれに設けられた連通手段の構成である。この実施例では、キャップ３が、第１キャップ３ａ’と第２キャップ３ｂ’とで構成されている。第１キャップ３ａ’及び第２キャップ３ｂ’は、それぞれ仕切り壁５ａ、５ｂを有し、それぞれの仕切り壁５ａ、５ｂの中心を連結軸２５で回動可能に連結されている。
【００７７】
そして、各仕切り壁５ａ、５ｂは、それぞれ開口部６ａ、６ｂを有し、第１キャップ３ａ’及び第２キャップ３ｂ’を相対的に回動させることにより、両開口部６ａ、６ｂが合致して、仕切り壁５ａ、５ｂが連通するようになっている。したがって、この実施例では、仕切り壁５ａ、５ｂが、本発明における仕切を構成し、回動可能に連結された第１キャップ３ａ’及び第２キャップ３ｂ’と、それらの仕切り壁５ａ、５ｂに形成された開口部６ａ、６ｂが、本発明における連通手段を構成している。
【００７８】
なお、仕切り壁５ａ、５ｂの間には、それらの周縁部と、各開口部６ａ、６ｂとを囲む図示しないシーリング手段が設けられており、容器本体２に充填された飲料が漏れないようになっている。
【００７９】
この第３参考例では、第１キャップ３ａ’及び第２キャップ３ｂ’を相対的に回動させて、開口部６ａ、６ｂを開閉することにより、飲料用容器１内の飲料の他の容器１０への流入量を適宜調節することができるので、飲む人の好みに応じた流入量の調節や、複数回に亘って流入させるといったことが可能となる。
【００８０】
続いて、本発明の第４参考例を図５に基づいて説明する。飲料用容器１の構成については、図１で説明したものと同じであり、第１参考例との違いは、キャップ３とそれに設けられた連通手段の構成である。この実施例では、キャップ３の仕切り壁５に開口部６が設けられている。そして、この開口部６を覆うように、オール状部材２６が、その両側に配置されたスライドガイド２７を介して、スライド可能に配置されている。オール状部材２６は、開口部６を開閉可能に覆う幅広部２６ａと、キャップ３の外方にスリット８を介して挿出された、幅狭の柄部２６ｂとを有している。そして、柄部２６ｂを引っ張って、図５（ａ）の矢印方向にスライドさせることにより、開口部６が開口して、連通されるようになっている。なお、柄部２６ｂを最大限に引っ張ると、幅広部２６ａがスリット８の周縁に係合して、オール状部材２６が外れないようになっている。この参考例では、オール状部材２６の幅広部２６ａが本発明における仕切を構成し、柄部２６ｂが、本発明における連通手段を構成している。
【００８１】
なお、仕切り壁５の開口部６周縁とオール状部材２６との間には、図示しないシーリング手段が設けられており、容器本体２に充填された飲料が漏れないようになっている。また、オール状部材２６への引っ張りを解放した時点で、オール状部材２６の幅広部２６ａが、開口部６上に復帰するように板バネを装着してもよい。
【００８２】
この参考例では、飲料用容器１と他の容器１０とを連結するときには、オール状部材２６の幅広部２６ａが開口部６を覆っておき、飲料用容器１を逆さまにした状態で両者を連結して、オール状部材２６の柄部２６ｂを引っ張ることにより、幅広部２６ａがスライドガイド２７に沿って横方向に移動し、開口部６が露出することで、仕切り壁５が上下に連通し、飲料用容器１の飲料が、他の容器１０に充填されることとなる。
【００８３】
そして、この参考例においても、オール状部材２６による開口部６の開閉により飲料用容器１内の内容物の流入量を適宜調節することができるので、飲む人の好みに応じた流入量の調節や、複数回に亘って流入させるといったことが可能となる。
【００８４】
続いて、本発明の第５参考例を図６に基づいて説明する。この参考例は、基本的には第１参考例と同じ構成からなるが、キャップ３の第２の連結手段の構成及び仕切り壁の連通手段が異なっている。
【００８５】
図６において、キャップ３の一端３ａの内周には、容器本体２の口部２ａに螺着する雌ネジ部４ａが形成されており、この雌ネジ部４ａが本発明における第１の連結手段を構成している。一方、キャップ３の他端３ｂの内周には、ネジの代わりに、ポリウレタン等の弾性樹脂部材２８を容器装着口の内面に配設されており、この弾性樹脂部材２８が本発明における第２の連結手段を構成している。
【００８６】
メーカーの異なるペットボトル等の容器にあっては、スクリューねじのピッチ幅が必ずしも互換性を有しているとは限らない。この参考例においては、容器装着口の内面に配したポリウレタン等の弾性樹脂部材２８が、他の容器１０の口部１１ａと嵌合した場合に、圧接して固定することで、スクリューねじの互換性を意識することなく、飲料容器を接合できるというメリットがある。
【００８７】
また、この参考例では、仕切り壁５が上下壁５ｃ、５ｄで構成され、上下壁５ｃ、５ｄの対応する箇所に、それぞれ開口部６ｃ、６ｄが形成されており、上下壁５ｃ、５ｄの間にスライド片２９が挿入されている。そして、スライド片２９を引き出すことによって、上下の開口部６ｃ、６ｄが連通して開口するようになっている。
【００８８】
続いて、本発明の第６参考例を図７に基づいて説明する。この参考例は、基本的には前記第５参考例と同様であるが、第２連結手段が異なっている。すなわち、この参考例では、キャップ３の他端３ｂに、第２連結手段として、十字状のスリット３１を有するゴム膜３０が配置されている。スリット３１は、他の容器１０の口部１１ａを挿入するのに必要な長さを有しており、他の容器１０の口部１１ａを差し込むと、弾性的に開いて他の容器１０の口部１１ａ外周に圧接され、他の容器１０の口部１１ａを弾性的に保持できるようになっている。このゴム膜３０が本発明における第２の連結手段を構成している。
【００８９】
続いて、本発明の第１実施例を図８に基づいて説明する。飲料用容器１の構成については、図１で説明したものと同じであり、第１参考例との違いは、キャップ３とそれに設けられた連通手段の構成である。
【００９０】
この実施例では、キャップ３が、第１キャップ３ｃと、第２キャップ３ｄとからなり、第２キャップ３ｄは、第１キャップ３ｃの一端に破断可能な肉薄部３２を介して連結されている。また、第２キャップ３ｄは、第１キャップ３ｃの内径に適合する外径を有し、第１キャップ３ｃに対して第２キャップ３ｄを回動させて、上記肉薄部３２を破断することにより、第２キャップ３ｄが第１キャップ３ｃの内周に挿入できるようになっている。
【００９１】
また、第２キャップ３ｄの端面３３には、開口部３４と、この開口部３４の周縁から突設された突起３５とを有している。突起３５は、周縁に開口部３４に連通する隙間を有している。第２キャップ３ｄの内周には、他の容器１０の容器本体１１の口部１１ａに螺着する雌ネジ部４ｂが形成されている。
【００９２】
一方、第１キャップ３ｃの中間部には、仕切り壁５が設けられており、仕切り壁５には、開口部６が形成されている。そして、開口部６は、薄いシートからなるシール材３６によって封止されている。また、第１キャップ３ｃの第２キャップ３ｄとは反対側の端部内周には、飲料用容器１の容器本体２の口部２ａに螺着する雌ネジ部４ａが形成されている。
【００９３】
この実施例では、シール材３６が本発明における仕切を構成し、突起３５が本発明における連通手段を構成している。
【００９４】
この実施例では、飲料用容器１の口部２ａに第１キャップ３ｃの雌ネジ部４ａを螺着して飲料用容器１を封止しておき、その状態で、飲料用容器１を逆さにして上方に配置し、第２キャップ３ｄの雌ネジ部４ｂに他の容器１０の口部１１ａを螺着して、両容器１，１０を連結する。そして、第２キャップ３ｄを第１キャップ３ｃに対してねじって、肉薄部３２を破断させる。
【００９５】
それによって、図８（ｃ）に示すように、第２キャップ３ｄが第１キャップ３ｃの内周に挿入され、第２キャップ３ｄの突起３５が、第１キャップ３ｃのシール材３６を突き破り、開口部６が開口する。その結果、飲料用容器１の飲料が、他の容器１０に注入されることになる。
【００９６】
続いて、本発明の第２実施例を図９に基づいて説明する。飲料用容器１の構成については、図１で説明したものと同じであり、参考例１との違いは、キャップ３とそれに設けられた連通手段の構成である。
【００９７】
この実施例では、キャップ３が、飲料用容器１の口部２ａに螺着する雌ネジ部４ａを有する第１キャップ３ｅと、他の容器１０の口部２ａに螺着する雌ネジ部４ｂを有する第２キャップ３ｆとで構成されている。第１キャップ３ｅの内周には、環状溝３７が形成され、第２キャップ３ｆの外周には、上記環状溝３７に嵌合する環状突部３８が形成されており、環状溝３７と環状突部３８との嵌合により、第１キャップ３ｅに対して第２キャップ３ｆがシールされると共に、後述する態様で両者が分離されたときには、両者が回動可能とされるように構成されている。なお、第１キャップ３ｅの内周に環状突部が形成され、第２キャップ３ｆの外周に上記環状突部が嵌合する環状溝が形成されていてもよい。
【００９８】
第２キャップ３ｆの内端部には、仕切り壁５が形成されており、これに開口部６が設けられている。また、第１キャップ３ｅの、上記環状溝３７の上方に覆い板３９が設けられており、第１キャップ３ｅに対する第２キャップ３ｆの回動角度によって、開口部６が開口したり、閉じたりするように構成されている。上記覆い板２９が本発明における仕切を構成し、前記第１キャップ３ｅに対して第２キャップ３ｆを回動させるための環状溝３７及び環状突部３８が本発明における連通手段を構成している。なお、特に図示はしていないが、開口部６の周縁には、覆い板３９が摺接したとき、開口部６を完全に閉塞するためのシールリングが設けられている。そして、第２キャップ３ｆは、第１キャップ３ｅに対して、ミシン目溶着された破断可能な連結部４０を介して連結されている。なお、破断可能な連結部４０は、ミシン目溶着に限らず、溶着部、接着部、射出成形時の肉薄連結部などで構成される破断可能な１つ以上の部位で構成することができる。以下の実施形態における「ミシン目溶着」においても同様である。
【００９９】
したがって、飲料用容器１の口部２ａに第１キャップ３ｅの雌ネジ部４ａを螺着して飲料用容器１を封止しておき、その状態で、飲料用容器１を逆さにして上方に配置し、第２キャップ３ｄの雌ネジ部４ｂに他の容器１０の口部１１ａを螺着して、両容器１，１０を連結する。そして、第２キャップ３ｄを第１キャップ３ｃに対してねじって、連結部４０を破断させる。そして、第１キャップ３ｅに対して第２キャップ３ｆを回転させると、連結部４０が破断されて、両キャップ３ｅ、３ｆが互いに回動することができるようになる。その結果、両キャップ３ｅ，３ｆを回動させて、仕切り壁５の開口部６を第２キャップ３ｆの覆い板３９で開閉し、飲料用容器１内の飲料を所望の量だけ他の容器１０へ注入することができる。
【０１００】
図１０には、例えば図１に示した飲料用容器１において、キャップ３の他の容器１０が連結される端部側の開口部を塞ぐシール材４１を設けた例が示されている。このように、キャップ３の他の容器１０が連結される端部をシール材４１で塞いでおき、他の容器１０と連結するときに剥がして使用することにより、キャップ３内にほこり等が入るのを防止できる。このシール材４１は、本発明の他の参考例及び実施例にも適用可能である。
【０１０１】
図１１、１２には、本発明の第３実施例の飲料用容器が示されている。図１１は飲料用容器を逆さにして他の容器と連結した状態の部分断面図であり、図１２は同状態でのキャップを切り欠いて示す斜視図である。
【０１０２】
この実施例では、キャップ３が飲料用容器１の容器本体２の口部２ａに螺着される雌ネジ部４ａを内周に有する第１キャップ３ｇと、他の容器１０の容器本体１１の口部１１ａに螺着される雌ネジ部４ｂを内周に有する第２キャップ３ｈとからなる。第２キャップ３ｈの第１キャップ３ｇ側の端部内周には、環状溝４２が形成されている。
【０１０３】
また、第１キャップ３ｇの第２キャップ３ｈ側の端部には、第２キャップ３ｈの内周に挿入される環状リブ４３と、この環状リブ４３の先端部外周に形成され、前記環状溝４２に嵌着される環状突部４４が形成されている。
【０１０４】
また、第１キャップ３ｇの環状リブ４３の基端部には、仕切り壁５が形成されており、この仕切り壁５には、３方向が破断可能な薄肉部よりなる囲い線で囲まれた舌片４５が装着されている。
【０１０５】
一方、第２キャップ３ｈには、内周の対向する壁部を連結する梁４６が形成され、この梁４６と舌片４５の端部で連結する連結帯４７が設けられている。連結帯４７は、舌片４５の前記薄肉部よりなる囲い線で囲まれた部分の端部に連結され、舌片４５の仕切壁５に連結された部分は、連結帯４７が連結された部分の反対側に位置している。上記仕切壁５が本発明における仕切を構成し、上記囲い線で囲まれた舌片４５と連結帯４７とが本発明における連通手段を構成している。
【０１０６】
そして、第１キャップ３ｇと第２キャップ３ｈとは、環状溝４２に環状リブ４３の環状突部４４を嵌着させた状態で、それらの当接面をミシン目溶着された破断可能な連結部４０を介して連結されている。
【０１０７】
この実施例では、図１１（ａ）、図１２（ａ）に示すように、飲料用容器１を逆さにして、キャップ３の第２キャップ３ｈに、雌ネジ部４ｂを介して、他の容器１０の口部１１ａを螺着させて連結する。この状態で、第１キャップ３ｇに対して第２キャップ３ｈにねじり力を加え、連結部４０を破断して、第１キャップ３ｇに対して第２キャップ３ｈを相対回転させる。
【０１０８】
すると、図１１（ｂ）、図１２（ｂ）に示すように、梁４６と共に連結帯４７が回転して、仕切り壁５の一部をなす舌片４５が連結帯４７に引っ張られて破断されてめくれる。その結果、開口部６が開口して、飲料容器１内の飲料が他の容器１０に注入される。
【０１０９】
図１３，１４には、本発明の第４実施例の飲料用容器が示されている。図１３は、飲料用容器のキャップ近傍を示す、仕切が閉じた状態の部分断面図であり、図１４は、飲料用容器を逆さにして他の容器を接続し、仕切を開いた状態にした部分断面図である。
【０１１０】
図１３に示すように、この実施例では、キャップ３が飲料用容器１の容器本体２の口部２ａに螺着される雌ネジ部４ａを内周に有する第１キャップ３ｉと、他の容器１０の容器本体１１の口部１１ａに螺着される雌ネジ部４ｂを内周に有する第２キャップ３ｊとからなる。
【０１１１】
第１キャップ３ｉは、容器本体２の口部２ａに挿入される第１筒体４８を有し、この第１筒体４８の挿入側端面には、底壁４９と、その中央部に形成された第１開口部５０とが設けられている。第１筒体４８の第２キャップ３ｊ側の端部内周には、雌ネジ部５１が形成されている。
【０１１２】
第２キャップ３ｊは、雌ネジ部４ｂの内端から半径方向内方に延出されて、第１キャップ３ｉの端面に当接する壁部５２を有し、この壁部５２の中央部に通路５３が形成されている。そして、壁部５２の通路５３の外周から、第１キャップ３ｉの第１筒体４８内に挿入される第２筒体５４が突設されている。この第２筒体５４の基部側外周には、前記第１キャップ３ｉの雌ネジ部５１に螺着される雄ネジ部５５が形成されている。
【０１１３】
第２筒体５４の雄ネジ部５５よりも先端側は、第１筒体４８の内周に対して所定の間隙５６が設けられるように外径が設定されている。第２筒体５４の先端部は、次第に縮径するテーパ部５７を介して閉塞されており、雄ネジ部５５を雌ネジ部５１に螺着させて締め付けると、テーパ部５７が第１開口部５０内周に密接して、第１開口部５０を閉塞するようになっている。そして、第２筒体５４の雄ネジ部５５に近接した周壁には、第２開口部５８が形成されている。この実施例では、第２開口部５８は、周方向に対向する２箇所に設けられた孔で構成されている。
【０１１４】
更に、第２キャップ３ｊの雌ネジ部４ｂ側の端部開口には、図１０で示したシール材４１が剥離可能に装着されている。このシール材４１は、第２キャップ３ｊ内にほこり等が入るのを防ぐと共に、第１開口部５０での封止が不十分で飲料が万一漏れたとしても、外部流出を防ぐのに役立つ。
【０１１５】
この飲料用容器１では、第２キャップ３ｊの雄ネジ部５５を第１キャップ３ｉの雌ネジ部５１に螺着させて締め付けることにより、第２筒体５４のテーパ部５７が第１開口部５０内周に密接して、第１開口部５０を閉塞するので、飲料用容器１を確実に封止することができる。なお、第１開口部５０の内周にシールリングを装着して、より気密性を向上させるようにしてもよい。
【０１１６】
また、第２筒体５４の先端部をストレートな筒状にして、その端面を比較的広いフラットな端面とし、この端面を第１開口部５０の周縁部に押し当てて封止するようにしてもよい。更に、第１キャップ３ｉの長さを長くし、雌ネジ部５１が設けられた孔を軸方向に長くとって、第１筒体４８を単なるフラットな仕切壁とし、その仕切壁に設けた開口部を第２筒体５４で封止するようにしてもよい。
【０１１７】
そして、飲料用容器１内の飲料を、他の容器１０に注入して、飲料を混ぜて飲みたいときには、第１開口部５０が封止された状態で、上記シール材４１を引き剥がし、図１４に示すように、飲料用容器１を逆さまにして、第２キャップ３ｊの雌ネジ部４ｂに、他の容器１０の口部１１ａを螺着させる。
【０１１８】
この状態で、第１キャップ３ｉに対して、第２キャップ３ｊを回して、雌ネジ部５１と雄ネジ部５５との螺合を緩めていくと、第２筒体５４が第１筒体４８から徐々に引き抜かれ、第２筒体５４の先端のテーパ部５７が第１開口部５０から離れて、第１開口部５０が開口される。
【０１１９】
その結果、図１４中の矢印で示すように、飲料用容器１内の飲料が、第１開口部５０から間隙５６を通り、更に第２筒体５４の第２開口部５８から第２筒体５４内に入り、他の容器１０内に注入される。なお、注入を途中でやめたいときには、第１キャップ３ｉに対して第２キャップ３ｊを締め付ける方向に回転させ、第２筒体５４のテーパ部５７を第１開口部５０に密接させることにより、飲料用容器１を再び封止して、注入を停止させることができる。
【０１２０】
この実施例では、第１キャップ３ｉの第１筒体４８とその第１開口部５０を塞ぐ第２筒体５４の先端部が、本発明における仕切を構成し、第１キャップ３ｉに対して第２キャップ３ｊを螺着させる雄ネジ部５５及び雌ネジ部５１が、本発明における連通手段を構成している。なお、連通手段は、上記のような構成に限定されず、第１筒体と第２筒体の回転やネジ移動によって通路が開口するようにした各種の構成を採用できる。また、第１キャップ３ｉは、容器本体２の口部２ａに固着されていてもよい。更に、第１キャプ３ｉと第２キャップ３ｊとがミシン目溶着などの破断可能な部位で連結されていて、第１キャプ３ｉに対して第２キャップ３ｊを不用意に回転させてしまうことを防止できるようになっている。
【０１２１】
図１５には、本発明の第６参考例の飲料用容器が示されている。同図（Ａ）に示すように、この飲料用容器１は、容器本体２が口部２ａに至るまでストレートな太さとなっており、キャップ３内周に形成された雌ネジ部４ａが、ストレートな太さの口部２ａ外周に螺着している。そのため、キャップ３を取り外したときの雌ネジ部４ａ内周の開口部が大きくされている。
【０１２２】
また、キャップ３には、雌ネジ部４ａと反対側の端部からやや奥まった位置に仕切壁５が形成されており、この仕切壁５の中央部に開口部６が設けられている。そして、仕切壁５の外側であって開口部６の周縁には、他の容器１０の口部１１ａ内周に挿入可能な外径の筒状突起５９が立設されており、この筒状突起５９の端面に剥離可能なシール材６０が装着されて開口部６が封止されている。なお、シール材６０の代わりに、別の小さいキャップなどを装着して開口部６を開閉可能に封止してもよい。また、筒状突起５９の先端の高さは、キャップ３の端面６１の高さよりも低くなっており、キャップ３を取り外した際に、上記端面６１を下方にして置く事ができるようになっている。
【０１２３】
この参考例では、キャップ３を取り外して、キャップ３をコップ代わりにして、飲料用容器１の飲料や、他の容器の飲料を、それぞれ単独で、あるいは両者を混ぜて飲むことができる。そして、他の容器の飲料がある程度減ったところで、キャップ３を取り外してシール材６０を剥がし、図１５（Ｂ）に示すように、他の容器１０の口部１１ａ内に、キャップ３の筒状突起５９を挿入して、キャップ３を他の容器１０に連結する。この状態で容器本体２を傾けて、その口部２ａから、容器本体２に充填されている飲料をキャップ３の開口部に注ぎ、キャップ３をロート代わりにして、飲料用容器１の飲料を他の容器１０に注入することができる。そして、キャップ３の雌ネジ部４ａ内周の開口部が大きくなっているので、飲料をこぼさずに他の容器１０に注入できる。
【０１２４】
図１６〜１８には、本発明の第７参考例の飲料用容器が示されている。この飲料用容器１は、容器本体２の内容物を他の容器１０に移すために該他の容器１０に連結するためのジョイント部材が、別体のカップ６２で構成されている点が、前記各実施形態とは相違している。
【０１２５】
すなわち、図１６に示すように、カップ６２は、容器本体２の外径にほぼ適合する内径を有し、容器本体２の口部２ａにキャップ３が装着されて封止された状態で、容器本体２の口部２ａを覆うように逆さにして被せられ、外周全体を図示しないフィルム等で包装されて販売されるようになっている。
【０１２６】
そして、カップ６２は、周壁の下端からやや底上げされた位置に、カップの底壁をなす仕切壁５を有しており、この仕切壁５の中央部に開口部６が設けられている。そして、仕切壁５の外側であって開口部６の周縁には、他の容器１０の口部１１ａ内周に挿入可能な外径の筒状突起５９が立設されており、この筒状突起５９の端面に剥離可能なシール材６０が装着されて開口部６が封止されている。なお、シール材６０の代わりに、別の小さいキャップなどを装着して開口部６を開閉可能に封止してもよい。また、筒状突起５９の先端の高さは、カップ６２の下方の端面６３の高さよりも低くなっており、カップ６２を取り外した際に、上記端面６３を下方にして置く事ができるようになっている。
【０１２７】
また、図１７に示すように、このカップ６２の周壁の外側又は内側には、目印６４が設けられており、注入量の目安となるようになっている。この参考例の場合、目印６４は、飲料用容器１の内容量に相当する量のところに付されており、その下に、「他の商品をこの位置までお飲みいただいた上で注いでください。」という表示６５が付されている。そして、他の容器１０の飲料をカップ６２の開口部６６から目印６４の位置まで注入して飲むことにより、他の容器１０には、飲料用容器１の内容量を受け入れるだけのスペースができるようになっている。なお目印６４は、先に説明した第６参考例についても適用可能である。
【０１２８】
このように、この飲料用容器１においては、カップ６２を利用して、他の容器１０の飲料を所定量飲んだ後、カップ６２のシール材６０を引き剥がし、図１８に示すように、他の容器１０の口部１１ａ内に、カップ６２の筒状突起５９を挿入して、カップ６２を他の容器１０に連結する。この状態で容器本体２を傾けて、その口部２ａから、容器本体２に充填されている飲料をカップ６２の開口部６６に注ぎ、カップ６２をロート代わりにして、飲料用容器１の飲料を他の容器１０に注入することができる。そして、カップ６２の開口部６６が大きくなっているので、飲料をこぼさずに他の容器１０に注入できる。
【０１２９】
なお、カップ６２は、両者の飲料をそれぞれ注入して、カップ内で両者の飲料を混ぜて飲むのに利用することもできる。また、目印６４は、所定間隔で形成された目盛であってもよい。また、この飲料容器１は、既存の容器にカップ６２を付けるだけで販売できるため、実施に伴い既存の容器の設計変更をする必要がないというメリットがある。
【０１３０】
図１９には、前記第１参考例の飲料用容器を改良した第５実施例の飲料用容器のキャップ部が示されている。この実施例では、キャップ３が、第１キャップ３ａ’と、第２キャップ３ｂ’とで構成されている。そして、第１キャップ３ａ’の先端部外周に形成された環状溝７２に、第２キャップ３ｂ’の先端部内周に形成された環状突部７３が嵌合して回動可能に連結され、その状態で両者の接合部がミシン目溶着されている。また、第２キャップ３ｂ’の周壁には、開口部７１が形成されている。
【０１３１】
そして、同図（Ａ）に示すように、仕切り壁５の開口部６を閉塞するシール片７の操作部７ａは、第１キャップ３ａ’と、第２キャップ３ｂ’とが溶着された状態では、第２キャップ３ｂ’内に収容されて、外部に露出しないようになっており、同図（Ｂ）に示すように、ミシン目溶着を破断して、第１キャップ３ａ’と、第２キャップ３ｂ’とを相対回動させると、シール片７の操作部７ａが、第２キャップ３ｂ’の開口部７１を通して外部に露出するようになっている。
【０１３２】
飲料容器商品は、購入者が店先で手に取ることができるため、仕切り壁５の開口部６を閉塞するシール片７が外に出ていると、誤って開封したり、イタズラで開封するといった危険もあるが、上記実施例では、ミシン目溶着を破断して、第１キャップ３ａ’と、第２キャップ３ｂ’とを相対回動させたときに、はじめてシール片７の操作部７ａが露出するので、上記問題を解決することができる。
【０１３３】
図２０には、前記第２参考例の飲料用容器を改良した第６実施例の飲料用容器のキャップ部が示されている。この実施例では、キャップ３が、第１キャップ３ａ’と、第２キャップ３ｂ’とで構成されている。そして、第１キャップ３ａ’の先端部外周に形成された環状溝７２に、第２キャップ３ｂ’の先端部内周に形成された環状突部７３が嵌合して回動可能に連結され、その状態で両者の接合部がミシン目溶着されている。また、第２キャップ３ｂ’の周壁には、開口部７１が形成されている。
【０１３４】
また、キャップ３の仕切壁５には、３方向が破断可能な薄肉部よりなる囲い線２１で囲まれた舌片２２を備えている。前記舌片２２の一部には、プラスチックで一体成形されたプルトップレバー２３の一端が連結され、プルトップレバー２３の他端には中空リング２４が形成されている。
【０１３５】
そして、同図（Ａ）に示すように、上記プルトップレバー２３は、第１キャップ３ａ’と、第２キャップ３ｂ’とが溶着された状態では、第２キャップ３ｂ’内に収容されて、外部に露出しないようになっており、同図（Ｂ）に示すように、ミシン目溶着を破断して、第１キャップ３ａ’と、第２キャップ３ｂ’とを相対回動させると、プルトップレバー２３の操作部となる中空リング２４が、第２キャップ３ｂ’の開口部７１を通して外部に露出するようになっている。
【０１３６】
したがって、この実施例でも、ミシン目溶着を破断して、第１キャップ３ａ’と、第２キャップ３ｂ’とを相対回動させたときに、はじめてプルトップレバー２３が外部に露出するので、誤って開封したり、イタズラで開封するといった危険を避けることができる。
【０１３７】
図２１には、前記第４参考例の飲料用容器を改良した第７実施例の飲料用容器のキャップ部が示されている。この実施例では、キャップ３が、第１キャップ３ａ’と、第２キャップ３ｂ’とで構成されている。そして、第１キャップ３ａ’の先端部外周に形成された環状溝７２に、第２キャップ３ｂ’の先端部内周に形成された環状突部７３が嵌合して回動可能に連結され、その状態で両者の接合部がミシン目溶着されている。また、第２キャップ３ｂ’の周壁には、開口部７１が形成されている。
【０１３８】
第１キャップ３ａ’には、仕切り壁５と開口６とが設けられており、仕切り壁５にはスライドガイド２７が形成されている。そして、スライドガイド２７内には、オール状部材２６がスライド可能に配置され、同図（Ａ）に示すように、オール上部材２６の柄部２６ｂは、第１キャップ３ａ’と、第２キャップ３ｂ’とが溶着された状態では、第２キャップ３ｂ’内に収容されて、外部に露出しないようになっており、同図（Ｂ）に示すように、ミシン目溶着を破断して、第１キャップ３ａ’と、第２キャップ３ｂ’とを相対回動させると、第２キャップ３ｂ’の開口部７１を通して外部に露出するようになっている。
【０１３９】
したがって、この実施例でも、ミシン目溶着を破断して、第１キャップ３ａ’と、第２キャップ３ｂ’とを相対回動させたときに、はじめてオール上部材２６の柄部２６ｂが外部に露出するので、誤って開封したり、イタズラで開封するといった危険を避けることができる。
【０１４０】
図２２には、前記第３実施例の飲料用容器を改良した第８実施例の飲料用容器のキャップ部が示されている。この実施例では、第３実施例における、第１キャップ３ｇの仕切り壁５に形成された舌片４５に、柱状部７２とその先端に形成された環状部７３とからなる第１係合手段７４が設けられている。また、第２キャップ３ｈの内周には、上記環状部７３に挿入されるフック状の先端部７５を有する突起部７６からなる第２係合手段７７が設けられている。
【０１４１】
したがって、ミシン目溶着された連結部４０を破断して、第１キャップ３ｇと第２キャップ３ｈとを同図（Ｂ）の矢印方向に相対回転させることにより、第１係合手段７４の環状部７３に、第２係合手段７７の先端部７５が挿入され、両者が係合して舌片４５が引っ張られて引き剥がされ、仕切り壁５が開口するようになっている。
【０１４２】
この実施例では、第１キャップ３ｇと、第２キャップ３ｈとを、連結帯４７（図１１参照）で連結することなく、別体で形成できるので、成形が容易となる。
【産業上の利用可能性】
【０１４３】
本発明は、例えば焼酎等が入った飲料用容器の飲料を、お茶等が入った他の容器の飲料と混ぜ合わせて飲むのに便利なペットボトル等の飲料用容器を提供することができる。
【符号の説明】
【０１４４】
１     飲料用容器
２     容器本体
２ａ   口部
３     キャップ
３ａ   一端
３ｂ   他端
３ａ’  第１キャップ
３ｂ’  第２キャップ
３ｃ   第１キャップ
３ｄ   第２キャップ
３ｅ   第１キャップ
３ｆ   第２キャップ
３ｇ   第１キャップ
３ｈ   第２キャップ
３ｉ   第１キャップ
３ｊ   第２キャップ
４ａ   雌ネジ部
４ｂ   雌ネジ部
５     仕切壁
５ａ、５ｂ    仕切壁
５ｃ   上壁
５ｄ   下壁
６     開口部
６ａ、６ｂ    開口部
６ｃ、６ｄ    開口部
７     シール片
８     スリット
１０   容器
１１   容器本体
１１ａ  口部
１２   キャップ
２１   囲い線
２２   舌片
２３   プルトップレバー
２４   中空リング
２５   連結軸
２６   オール状部材
２６ａ  幅広部
２６ｂ  柄部
２７   スライドガイド
２８   弾性樹脂部材
２９   スライド片
３０   ゴム膜
３１   スリット
３２   肉薄部
３３   端面
３４   開口部
３５   突起
３６   シール材
３７   環状溝
３８   環状突部
３９   覆い板
４０   連結部
４１   シール材
４２   環状溝
４３   環状リブ
４４   環状突部
４５   舌片
４６   梁
４７   連結帯
４８   第１筒体
４９   底壁
５０   第１開口部
５１   雌ネジ部
５２   壁部
５３   通路
５４   第２筒体
５５   雄ネジ部
５６   間隙
５７   テーパ部
５８  第２開口部
５９   筒状突起
６０   シール材
６２   カップ
６４   目印
６５  表示
７１  開口部
７２  柄部
７３  環状部
７４  第１係合手段
７５  先端部
７６  突起部
７７  第２係合手段